(57)【要約】【課題】消費電力を増大させることなく高精細化・広色域化を実現することのできる表示装置を提供する。【解決手段】表示部内の画素部は、緑色の光と赤色の光とを透過するカラーフィルタが設けられた第１の画素部と、緑色の光と青色の光とを透過するカラーフィルタが設けられた第２の画素部とからなる。各フレームにおいて、第１フィールドには入力画像信号の緑色成分に応じたデータが第１の画素部および第２の画素部に与えられ、第２フィールドには入力画像信号の赤色成分に応じたデータが第１の画素部に与えられるとともに入力画像信号の青色成分に応じたデータが第２の画素部に与えられる。また、各フレームにおいて、第１フィールドには緑色光源のみが点灯状態とされ、第２フィールドには赤色光源および青色光源が点灯状態とされる。【選択図】図１３
2016136235.tif 000002
【特許請求の範囲】
【請求項１】
複数行×複数列の画素マトリクスを構成する複数の画素部と、前記複数の画素部に光を照射する複数の光源と、第１原色，第２原色，および第３原色のそれぞれの成分を含む入力画像信号に応じた画素データを前記複数の画素部に与えることによって前記複数の画素部における光の透過状態を制御する画素駆動部と、前記複数の光源の発光強度を制御する光源制御部とを備えた表示装置であって、
前記複数の画素部は、前記第１原色の光と前記第２原色の光とを透過する第１のカラーフィルタが設けられた第１の画素部と、前記第１原色の光と前記第３原色の光とを透過する第２のカラーフィルタが設けられた第２の画素部とからなり、
前記画素マトリクスの任意の行において互いに隣接する２つの画素部は、前記第１の画素部と前記第２の画素部とからなり、
前記複数の光源は、前記第１原色の波長領域を発光領域に含む発光体である第１タイプ発光体と、前記第２原色の波長領域および前記第３原色の波長領域の双方を発光領域に含む発光体、または、前記第２原色の波長領域を発光領域に含む発光体および前記第３原色の波長領域を発光領域に含む発光体である第２タイプ発光体からなり、
１フレーム期間には、少なくとも２つのタイプのフィールドである第１タイプフィールドおよび第２タイプフィールドが含まれ、
前記光源制御部は、前記第１タイプフィールドには前記第１タイプ発光体のみが点灯状態となり、前記第２タイプフィールドには前記第２タイプ発光体のみが点灯状態となるよう、前記複数の光源の発光強度を制御し、
前記画素駆動部は、前記第１タイプフィールドには、前記入力画像信号に含まれる前記第１原色の成分に応じた画素データを前記第１の画素部および前記第２の画素部に与え、前記第２タイプフィールドには、前記入力画像信号に含まれる前記第２原色の成分に応じた画素データを前記第１の画素部に与えるとともに前記入力画像信号に含まれる前記第３原色の成分に応じた画素データを前記第２の画素部に与えることを特徴とする、表示装置。
【請求項２】
前記第１原色は緑色であることを特徴とする、請求項１に記載の表示装置。
【請求項３】
各原色の光の発光強度および各原色の光が表示装置外部へ出力される期間の長さのうち少なくとも一方を調整することによって、映像の色調補正が行われることを特徴とする、請求項１に記載の表示装置。
【請求項４】
前記光源制御部は、前記第１タイプフィールドの長さおよび前記第２タイプフィールドの長さのうち少なくとも一方を調整することを特徴とする、請求項３に記載の表示装置。
【請求項５】
前記光源制御部は、前記第１タイプフィールド中に前記第１タイプ発光体が発光する期間の長さおよび前記第２タイプフィールド中に前記第２タイプ発光体が発光する期間の長さのうち少なくとも一方を調整することを特徴とする、請求項３に記載の表示装置。
【請求項６】
前記光源制御部は、前記第１タイプフィールドの長さおよび前記第２タイプフィールドの長さのうち少なくとも一方、および、前記第１タイプフィールド中に前記第１タイプ発光体が発光する期間の長さおよび前記第２タイプフィールド中に前記第２タイプ発光体が発光する期間の長さのうち少なくとも一方を調整することを特徴とする、請求項３に記載の表示装置。
【請求項７】
前記第２タイプフィールドに前記第１の画素部に与える画素データの値および前記第２タイプフィールドに前記第２の画素部に与える画素データの値をローパスフィルタを用いて前記入力画像信号の値に基づいて求める画素データ算出部を更に備えることを特徴とする、請求項１に記載の表示装置。
【請求項８】
前記ローパスフィルタは、総和が１となるように、かつ、中心の画素部に対応する係数値が最大であって当該中心の画素部からの距離が遠い画素部ほど係数値が小さくなるように、Ｐ個の画素部にそれぞれ対応するＰ個の係数値を保持し、
画素データの値を求める対象の画素部を着目画素部と定義し、前記着目画素部を中心とするＰ個の画素部に１からＰまでの番号を割り当てたときのｋ番目の画素部についての前記入力画像信号の値をＤｋで表し、前記ローパスフィルタに保持されている係数値のうちｋ番目の画素部に対応する係数値をＣｋで表したとき、前記画素データ算出部は、前記着目画素部についての画素データの値Ｖを下記の式で求めることを特徴とする、請求項７に記載の表示装置。
【数１２】
2016136235.tif 000014
【請求項９】
前記画素マトリクスに含まれる連続する任意の２つの行に着目したとき、偶数行目の画素部は、奇数行目の画素部に対して半画素分ずれて配置されていることを特徴とする、請求項１に記載の表示装置。
【請求項１０】
各フィールドに各画素部に与える画素データの値をローパスフィルタを用いて前記入力画像信号の値に基づいて求める画素データ算出部を更に備え、
前記画素マトリクスを構成する奇数行および偶数行のうち本来の位置に対して半画素分ずれて配置されている方をシフト行と定義し、他方を通常行と定義したとき、前記ローパスフィルタとして、１個の画素部を中心とするＰ個の画素部にそれぞれ対応するＰ個の係数値を保持する通常行用ローパスフィルタと２個の画素部を中心とするＱ個の画素部にそれぞれ対応するＱ個の係数値を保持するシフト行用ローパスフィルタとが設けられていることを特徴とする、請求項９に記載の表示装置。
【請求項１１】
前記通常行用ローパスフィルタは、総和が１となるように、かつ、中心の１個の画素部に対応する係数値が最大であって当該中心の画素部からの距離が遠い画素部ほど係数値が小さくなるように、前記Ｐ個の係数値を保持し、
前記シフト行用ローパスフィルタは、総和が１となるように、かつ、中心の２個の画素部に対応する係数値が最大であって当該中心の画素部からの距離が遠い画素部ほど係数値が小さくなるように、前記Ｑ個の係数値を保持し、
画素データの値を求める対象の画素部を着目画素部と定義し、前記着目画素部が前記通常行に含まれているときに前記着目画素部を中心とするＰ個の画素部に１からＰまでの番号を割り当てたときのｋ番目の画素部についての前記入力画像信号の値をＤＰｋで表し、前記着目画素部が前記シフト行に含まれているときに前記着目画素部および半画素分ずれている側に前記着目画素部に隣接する画素部を中心とするＱ個の画素部に１からＱまでの番号を割り当てたときのｊ番目の画素部についての前記入力画像信号の値をＤＱｊで表し、前記通常行用ローパスフィルタに保持されている係数値のうちｋ番目の画素部に対応する係数値をＣＰｋで表し、前記シフト行用ローパスフィルタに保持されている係数値のうちｊ番目の画素部に対応する係数値をＣＱｊで表したとき、前記画素データ算出部は、前記着目画素部が前記通常行に含まれているときの前記着目画素部についての画素データの値ＶＰおよび前記着目画素部が前記シフト行に含まれているときの前記着目画素部についての画素データの値ＶＱをそれぞれ下記の式で求めることを特徴とする、請求項１０に記載の表示装置。
【数１３】
2016136235.tif 000015
【数１４】
2016136235.tif 000016
【請求項１２】
前記通常行用ローパスフィルタは、前記第１タイプフィールドに前記第１の画素部に与える画素データの値および前記第１タイプフィールドに前記第２の画素部に与える画素データの値を求めるために用いられる第１の通常行用ローパスフィルタと、前記第２タイプフィールドに前記第１の画素部に与える画素データの値および前記第２タイプフィールドに前記第２の画素部に与える画素データの値を求めるために用いられる第２の通常行用ローパスフィルタとからなり、
前記シフト行用ローパスフィルタは、前記第１タイプフィールドに前記第１の画素部に与える画素データの値および前記第１タイプフィールドに前記第２の画素部に与える画素データの値を求めるために用いられる第１のシフト行用ローパスフィルタと、前記第２タイプフィールドに前記第１の画素部に与える画素データの値および前記第２タイプフィールドに前記第２の画素部に与える画素データの値を求めるために用いられる第２のシフト行用ローパスフィルタとからなり、
前記第１の通常行用ローパスフィルタと前記第２の通常行用ローパスフィルタとには互いに異なる係数値が保持され、
前記第１のシフト行用ローパスフィルタと前記第２のシフト行用ローパスフィルタとには互いに異なる係数値が保持されていることを特徴とする、請求項１１に記載の表示装置。
【請求項１３】
１フレーム期間には、更に、第３タイプフィールドが含まれ、
前記光源制御部は、前記第３タイプフィールドには前記第１タイプ発光体と前記第２タイプ発光体とが点灯状態となるよう、前記複数の光源の発光強度を制御し、
前記画素駆動部は、前記第３タイプフィールドには、前記第１原色と前記第２原色との混色成分に応じた画素データを前記第１の画素部に与えるとともに前記第１原色と前記第３原色との混色成分に応じた画素データを前記第２の画素部に与えることを特徴とする、請求項１に記載の表示装置。
【請求項１４】
各フィールドに各画素部に与える画素データの値を求めるために用いられる色値であって前記第１原色，前記第２原色，および前記第３原色のそれぞれについての色値をローパスフィルタを用いて前記入力画像信号の値に基づいて求める第１の計算部と、各フィールドに各画素部に与える画素データの値を前記第１の計算部によって求められた色値に基づいて求める第２の計算部とからなる画素データ算出部を更に備えることを特徴とする、請求項１３に記載の表示装置。
【請求項１５】
前記ローパスフィルタは、総和が１となるように、かつ、中心の画素部に対応する係数値が最大であって当該中心の画素部からの距離が遠い画素部ほど係数値が小さくなるように、Ｐ個の画素部にそれぞれ対応するＰ個の係数値を保持し、
画素データの値を求める対象の画素部を着目画素部と定義し、前記着目画素部を中心とするＰ個の画素部に１からＰまでの番号を割り当てたときのｋ番目の画素部についての前記入力画像信号の値をＤｋで表し、前記ローパスフィルタに保持されている係数値のうちｋ番目の画素部に対応する係数値をＣｋで表したとき、前記第１の計算部は、前記入力画像信号に含まれる前記着目画素部についての前記第１原色の成分の値を前記着目画素部についての前記第１原色の色値とし、前記着目画素部についての前記第２原色および前記第３原色の色値Ｖｃｏｌを下記の式で求めることを特徴とする、請求項１４に記載の表示装置。
【数１５】
2016136235.tif 000017
【請求項１６】
前記第２の計算部は、
前記第１原色の色値および前記第２原色の色値のうちの小さい方の値を前記第３タイプフィールドに前記第１の画素部に与える画素データの値とし、
前記第１原色の色値および前記第３原色の色値のうちの小さい方の値を前記第３タイプフィールドに前記第２の画素部に与える画素データの値とすることを特徴とする、請求項１４に記載の表示装置。
【請求項１７】
前記複数の光源は、更に、前記第１原色の波長領域，前記第２原色の波長領域，および前記第３原色の波長領域の全てを発光領域に含む白色発光体を含み、
１フレーム期間には、更に、第３タイプフィールドが含まれ、
前記光源制御部は、前記第３タイプフィールドには前記白色発光体のみが点灯状態となるよう、前記複数の光源の発光強度を制御し、
前記画素駆動部は、前記第３タイプフィールドには、前記第１原色と前記第２原色との混色成分に応じた画素データを前記第１の画素部に与えるとともに前記第１原色と前記第３原色との混色成分に応じた画素データを前記第２の画素部に与えることを特徴とする、請求項１に記載の表示装置。
【請求項１８】
前記第２タイプ発光体は、前記第２原色の波長領域と前記第３原色の波長領域とにピーク波長を有することを特徴とする、請求項１に記載の表示装置。
【請求項１９】
前記第２タイプ発光体は、前記第３原色の光を発する発光ダイオードと、前記発光ダイオードから発せられる光によって励起されて発光する第２原色の蛍光体とによって構成されていることを特徴とする、請求項１８に記載の表示装置。
【請求項２０】
前記第２タイプ発光体は、前記第３原色の光を発する発光ダイオードと、前記発光ダイオードから発せられる光を前記第２原色の光に変換する量子ドットとによって構成されていることを特徴とする、請求項１８に記載の表示装置。
【請求項２１】
１フレーム期間には、ｍ種類（ｍは２以上の整数）の長さのｎ個（ｎはｍ以上の整数）の第１タイプフィールドとｍ種類の長さのｎ個の第２タイプフィールドとが含まれ、
フィールド毎に各画素部において光を透過させるか否かを制御することによって階調表示が行われることを特徴とする、請求項１に記載の表示装置。
【請求項２２】
複数行×複数列の画素マトリクスを構成する複数の画素部と、前記複数の画素部に光を照射する複数の光源とを備えた表示装置の駆動方法であって、
第１原色，第２原色，および第３原色のそれぞれの成分を含む入力画像信号に応じた画素データを前記複数の画素部に与えることによって前記複数の画素部における光の透過状態を制御する画素駆動ステップと、
前記複数の光源の発光強度を制御する光源制御ステップと
を含み、
前記複数の画素部は、前記第１原色の光と前記第２原色の光とを透過する第１のカラーフィルタが設けられた第１の画素部と、前記第１原色の光と前記第３原色の光とを透過する第２のカラーフィルタが設けられた第２の画素部とからなり、
前記画素マトリクスの任意の行において互いに隣接する２つ画素部は、前記第１の画素部と前記第２の画素部とからなり、
前記複数の光源は、前記第１原色の波長領域を発光領域に含む発光体である第１タイプ発光体と、前記第２原色の波長領域および前記第３原色の波長領域の双方を発光領域に含む発光体、または、前記第２原色の波長領域を発光領域に含む発光体および前記第３原色の波長領域を発光領域に含む発光体である第２タイプ発光体からなり、
１フレーム期間には、少なくとも２つのタイプのフィールドである第１タイプフィールドおよび第２タイプフィールドが含まれ、
前記光源制御ステップでは、前記第１タイプフィールドには前記第１タイプ発光体のみが点灯状態となり、前記第２タイプフィールドには前記第２タイプ発光体のみが点灯状態となるよう、前記複数の光源の発光強度が制御され、
前記画素駆動ステップでは、前記第１タイプフィールドには、前記入力画像信号に含まれる前記第１原色の成分に応じた画素データが前記第１の画素部および前記第２の画素部に与えられ、前記第２タイプフィールドには、前記入力画像信号に含まれる前記第２原色の成分に応じた画素データが前記第１の画素部に与えられるとともに前記入力画像信号に含まれる前記第３原色の成分に応じた画素データが前記第２の画素部に与えられることを特徴とする、駆動方法。
【請求項２３】
複数行×複数列の画素マトリクスを構成する複数の画素部を含む表示パネルと、前記表示パネルに光を照射する複数の光源を含むバックライトと、第１原色，第２原色，および第３原色のそれぞれの成分を含む入力画像信号に応じた画素データを前記複数の画素部に与えることによって前記複数の画素部における光の透過状態を制御する画素駆動部と、前記複数の光源の発光強度を制御する光源制御部とを備えた表示装置であって、
前記複数の画素部は、前記第１原色の光と前記第２原色の光とを透過する第１のカラーフィルタが設けられた第１の画素部と、前記第１原色の光と前記第３原色の光とを透過する第２のカラーフィルタが設けられた第２の画素部とからなり、
前記画素マトリクスの任意の行において互いに隣接する２つの画素部は、前記第１の画素部と前記第２の画素部とからなり、
前記複数の光源は、前記第１原色の波長領域を発光領域に含む第１の発光源からなる第１タイプ発光体と、前記第３原色の波長領域を発光領域に含む第２の発光源および当該第２の発光源から発せられる光の波長を前記第２原色の光の波長に変換する波長変換素子からなる第２タイプ発光体とによって構成され、
前記バックライトは、前記第１の発光源から発せられる光および前記第２の発光源から発せられる光のうち前記第２の発光源から発せられる光のみが前記波長変換素子を通過するように構成され、
１フレーム期間には、少なくとも２つのタイプのフィールドである第１タイプフィールドおよび第２タイプフィールドが含まれ、
前記光源制御部は、前記第１タイプフィールドには前記第１タイプ発光体のみが点灯状態となり、前記第２タイプフィールドには前記第２タイプ発光体のみが点灯状態となるよう、前記複数の光源の発光強度を制御し、
前記画素駆動部は、前記第１タイプフィールドには、前記入力画像信号に含まれる前記第１原色の成分に応じた画素データを前記第１の画素部および前記第２の画素部に与え、前記第２タイプフィールドには、前記入力画像信号に含まれる前記第２原色の成分に応じた画素データを前記第１の画素部に与えるとともに前記入力画像信号に含まれる前記第３原色の成分に応じた画素データを前記第２の画素部に与えることを特徴とする、表示装置。
【請求項２４】
前記バックライトは、前面が前記表示パネル側に位置するように配置された導光板と、前記導光板と前記表示パネルとの間に配置された拡散板とを更に含み、
前記第１の発光源は、前記導光板の側面側に配置され、
前記第２の発光源は、前記導光板の背面側に配置され、
前記波長変換素子は、前記導光板と前記第２の発光源との間に配置されていることを特徴とする、請求項２３に記載の表示装置。
【請求項２５】
前記バックライトは、前面が前記表示パネル側に位置するように配置された導光板と、前記導光板と前記表示パネルとの間に配置された拡散板とを更に含み、
前記第１の発光源は、前記導光板の背面側に配置され、
前記第２の発光源は、前記導光板の側面側に配置され、
前記波長変換素子は、前記導光板と前記第２の発光源との間に配置されていることを特徴とする、請求項２３に記載の表示装置。
【請求項２６】
前記バックライトは、前面が前記表示パネル側に位置するように配置された導光板と、前記導光板と前記表示パネルとの間に配置された拡散板とを更に含み、
前記第１の発光源は、前記導光板の一方の側面側に配置され、
前記第２の発光源は、前記導光板の他方の側面側に配置され、
前記波長変換素子は、前記導光板の他方の側面と前記第２の発光源との間に配置されていることを特徴とする、請求項２３に記載の表示装置。
【請求項２７】
前記バックライトは、前面が前記表示パネル側に位置するように配置された拡散板を更に含み、
前記第１の発光源および前記第２の発光源は、前記拡散板の背面側に配置され、
前記第１の発光源から発せられる光が前記波長変換素子を通過することがないように、前記波長変換素子は前記第２の発光源の近傍に配置されていることを特徴とする、請求項２３に記載の表示装置。
【請求項２８】
前記第１の発光源と前記第２の発光源との間に遮光壁が設けられ、
前記第２の発光源は、前記波長変換素子によって覆われていることを特徴とする、請求項２７に記載の表示装置。
【請求項２９】
前記第１の発光源と前記第２の発光源との間に遮光壁が設けられ、
前記第２の発光源の表面に前記波長変換素子が塗布されていることを特徴とする、請求項２７に記載の表示装置。
【請求項３０】
前記バックライトは、前面が前記表示パネル側に位置するように配置された導光板と、前記導光板と前記表示パネルとの間に配置された拡散板とを更に含み、
前記第１の発光源と前記第２の発光源とが前記導光板の少なくとも１つの側面側に交互に配置され、
前記第１の発光源から発せられる光が前記波長変換素子を通過することがないように、前記波長変換素子は、前記導光板と前記第２の発光源との間の領域において前記第２の発光源の近傍に配置されていることを特徴とする、請求項２３に記載の表示装置。
【請求項３１】
前記複数の光源は、更に、前記第１原色の波長領域，前記第２原色の波長領域，および前記第３原色の波長領域の全てを発光領域に含む白色発光体を含み、
前記バックライトは、前記白色発光体から発せられる光が前記波長変換素子を通過しないように構成され、
１フレーム期間には、更に、第３タイプフィールドが含まれ、
前記光源制御部は、前記第３タイプフィールドには前記白色発光体のみが点灯状態となるよう、前記複数の光源の発光強度を制御し、
前記画素駆動部は、前記第３タイプフィールドには、前記第１原色と前記第２原色との混色成分に応じた画素データを前記第１の画素部に与えるとともに前記第１原色と前記第３原色との混色成分に応じた画素データを前記第２の画素部に与えることを特徴とする、請求項２３に記載の表示装置。
【発明の詳細な説明】
【技術分野】
【０００１】
本発明は、表示装置に関し、更に詳しくは、高解像度の画像の表示に適した表示装置に関する。
【背景技術】
【０００２】
一般に、カラー表示を行う液晶表示装置では、１つの画素は、赤色光を透過するカラーフィルタが設けられた赤色画素，緑色光を透過するカラーフィルタが設けられた緑色画素，および青色光を透過するカラーフィルタが設けられた青色画素の３つのサブ画素に分割されている。そして、各サブ画素における透過率が電圧（液晶印加電圧）で制御されることによって、各サブ画素を透過する光の量が調整される。これにより、各画素において所望の色が表示される。このようなカラーフィルタ方式の液晶表示装置によれば、液晶パネルに照射されるバックライト光の約３分の２がカラーフィルタで吸収される。このため、カラーフィルタ方式の液晶表示装置は光利用効率が低い（すなわち消費電力が大きい）という問題を有する。また、１つの画素を３つのサブ画素に分割する必要があるため、高精細化には限界がある。そこで、低消費電力化や高精細化を実現するためにフィールドシーケンシャル方式が採用されることもある。
【０００３】
フィールドシーケンシャル方式を採用する液晶表示装置においては、１画面の表示期間である１フレーム期間は典型的には３つのフィールドに分割されている。例えば、１フレーム期間は、入力画像信号の赤色成分に基づいて赤色の画面を表示するフィールド（赤色フィールド）と、入力画像信号の緑色成分に基づいて緑色の画面を表示するフィールド（緑色フィールド）と、入力画像信号の青色成分に基づいて青色の画面を表示するフィールド（青色フィールド）とに分割されている。以上のようにして１つずつ原色を表示することにより、液晶パネルにカラー画像が表示される。このようにしてカラー画像の表示が行われるので、フィールドシーケンシャル方式の液晶表示装置ではカラーフィルタが不要となる。これにより、フィールドシーケンシャル方式の液晶表示装置では、カラーフィルタ方式の液晶表示装置に比べて光利用効率が約３倍となる。また、フィールドシーケンシャル方式の液晶表示装置では、カラーフィルタ方式の液晶表示装置とは異なり、１つの画素を３つのサブ画素に分割する必要がなく、総サブ画素数が少なくなり開口率が上がるため光利用効率が高まる。以上より、フィールドシーケンシャル方式の液晶表示装置は、低消費電力化や高精細化に適している。
【０００４】
なお、本件発明に関連して、以下の先行技術文献が知られている。特表２００６−５０１５１３号公報には、シアン色のカラーフィルタおよびマゼンダ色のカラーフィルタを用いるとともに赤色の波長領域と青色の波長領域とにピーク波長を有する第１の光源および緑色の波長領域にピーク波長を有する第２の光源を用いることによって色割れを低減する表示装置の発明が開示されている（特表２００６−５０１５１３号公報の図１１を参照）。特開２００６−３０１０４３号公報には、黄色のカラーフィルタおよびシアン色のカラーフィルタを用い、１フレーム期間を２つのフィールドに分割している表示装置の発明が開示されている。特開２００６−３０１０４３号公報に開示された表示装置では、２つのカラーフィルタを透過する緑色の光と、一方のカラーフィルタのみを透過する赤色および青色の光とをフィールド毎に交互に発光させることによって、低消費電力で高輝度の表示が行われる。
【先行技術文献】
【特許文献】
【０００５】
【特許文献１】特表２００６−５０１５１３号公報
【特許文献２】特開２００６−３０１０４３号公報
【発明の概要】
【発明が解決しようとする課題】
【０００６】
ところで、近年、液晶表示装置等の表示装置に関して高解像度化の要求が高まっている。例えば、ＳＨＶ（スーパーハイビジョン）と呼ばれる映像（解像度：７６８０×４３２０）を表示することのできる表示装置の開発が進められている。このような表示装置に関し、フィールドシーケンシャル方式を採用することが考えられる。ところが、従来のフィールドシーケンシャル方式によれば、上述したように１フレーム期間は３つのフィールドに分割されているため、ＳＨＶのような高解像度の画像を表示しようとすると各画素における充電期間が極めて短くなる。このため、比較的高い応答速度の液晶が用いられている場合でも、充電不足が生じて充分な表示品位が得られないことが考えられる。
【０００７】
また、ＳＨＶと呼ばれる映像を表示することができ、かつ、例えば家庭用のテレビジョン装置として用いられる程度のサイズの画面を有する表示装置を従来のカラーフィルタ方式を用いて実現しようとすると、サブ画素のサイズが極めて小さくなる。サブ画素のサイズが小さくなると、サブ画素におけるＴＦＴや配線の占有率が高くなる。従って、開口率が減少し、パネル透過率が著しく低下する。その結果、消費電力が増大する。また、高精細化（高解像度化）した表示装置については、広色域化も要求されている。これに関し、色域を拡大するために緑色ＬＥＤが用いられるが、緑色ＬＥＤは青色ＬＥＤや赤色ＬＥＤに比べて発光効率が低い。このように緑色ＬＥＤの発光効率が低いことも消費電力増大の要因となっている。以上のように、従来技術によれば、高精細化や広色域化に伴って、消費電力が増大している。
【０００８】
特表２００６−５０１５１３号公報に開示された表示装置においては、２つのサブ画素を用いて１画素分の情報の表示が行われると考えられる。また、特開２００６−３０１０４３号公報に開示された表示装置においては、２つのサブ画素を用いて１画素分の情報の表示が行われる。従って、いずれも高精細化には適していない。
【０００９】
そこで本発明は、消費電力を増大させることなく高精細化・広色域化を実現することのできる表示装置を提供することを目的とする。
【課題を解決するための手段】
【００１０】
第１の発明は、複数行×複数列の画素マトリクスを構成する複数の画素部と、前記複数の画素部に光を照射する複数の光源と、第１原色，第２原色，および第３原色のそれぞれの成分を含む入力画像信号に応じた画素データを前記複数の画素部に与えることによって前記複数の画素部における光の透過状態を制御する画素駆動部と、前記複数の光源の発光強度を制御する光源制御部とを備えた表示装置であって、
前記複数の画素部は、前記第１原色の光と前記第２原色の光とを透過する第１のカラーフィルタが設けられた第１の画素部と、前記第１原色の光と前記第３原色の光とを透過する第２のカラーフィルタが設けられた第２の画素部とからなり、
前記画素マトリクスの任意の行において互いに隣接する２つの画素部は、前記第１の画素部と前記第２の画素部とからなり、
前記複数の光源は、前記第１原色の波長領域を発光領域に含む発光体である第１タイプ発光体と、前記第２原色の波長領域および前記第３原色の波長領域の双方を発光領域に含む発光体、または、前記第２原色の波長領域を発光領域に含む発光体および前記第３原色の波長領域を発光領域に含む発光体である第２タイプ発光体からなり、
１フレーム期間には、少なくとも２つのタイプのフィールドである第１タイプフィールドおよび第２タイプフィールドが含まれ、
前記光源制御部は、前記第１タイプフィールドには前記第１タイプ発光体のみが点灯状態となり、前記第２タイプフィールドには前記第２タイプ発光体のみが点灯状態となるよう、前記複数の光源の発光強度を制御し、
前記画素駆動部は、前記第１タイプフィールドには、前記入力画像信号に含まれる前記第１原色の成分に応じた画素データを前記第１の画素部および前記第２の画素部に与え、前記第２タイプフィールドには、前記入力画像信号に含まれる前記第２原色の成分に応じた画素データを前記第１の画素部に与えるとともに前記入力画像信号に含まれる前記第３原色の成分に応じた画素データを前記第２の画素部に与えることを特徴とする。
【００１１】
第２の発明は、第１の発明において、
前記第１原色は緑色であることを特徴とする。
【００１２】
第３の発明は、第１の発明において、
各原色の光の発光強度および各原色の光が表示装置外部へ出力される期間の長さのうち少なくとも一方を調整することによって、映像の色調補正が行われることを特徴とする。
【００１３】
第４の発明は、第３の発明において、
前記光源制御部は、前記第１タイプフィールドの長さおよび前記第２タイプフィールドの長さのうち少なくとも一方を調整することを特徴とする。
【００１４】
第５の発明は、第３の発明において、
前記光源制御部は、前記第１タイプフィールド中に前記第１タイプ発光体が発光する期間の長さおよび前記第２タイプフィールド中に前記第２タイプ発光体が発光する期間の長さのうち少なくとも一方を調整することを特徴とする。
【００１５】
第６の発明は、第３の発明において、
前記光源制御部は、前記第１タイプフィールドの長さおよび前記第２タイプフィールドの長さのうち少なくとも一方、および、前記第１タイプフィールド中に前記第１タイプ発光体が発光する期間の長さおよび前記第２タイプフィールド中に前記第２タイプ発光体が発光する期間の長さのうち少なくとも一方を調整することを特徴とする。
【００１６】
第７の発明は、第１の発明において、
前記第２タイプフィールドに前記第１の画素部に与える画素データの値および前記第２タイプフィールドに前記第２の画素部に与える画素データの値をローパスフィルタを用いて前記入力画像信号の値に基づいて求める画素データ算出部を更に備えることを特徴とする。
【００１７】
第８の発明は、第７の発明において、
前記ローパスフィルタは、総和が１となるように、かつ、中心の画素部に対応する係数値が最大であって当該中心の画素部からの距離が遠い画素部ほど係数値が小さくなるように、Ｐ個の画素部にそれぞれ対応するＰ個の係数値を保持し、
画素データの値を求める対象の画素部を着目画素部と定義し、前記着目画素部を中心とするＰ個の画素部に１からＰまでの番号を割り当てたときのｋ番目の画素部についての前記入力画像信号の値をＤｋで表し、前記ローパスフィルタに保持されている係数値のうちｋ番目の画素部に対応する係数値をＣｋで表したとき、前記画素データ算出部は、前記着目画素部についての画素データの値Ｖを下記の式で求めることを特徴とする。
【数１】
2016136235.tif 000003
【００１８】
第９の発明は、第１の発明において、
前記画素マトリクスに含まれる連続する任意の２つの行に着目したとき、偶数行目の画素部は、奇数行目の画素部に対して半画素分ずれて配置されていることを特徴とする。
【００１９】
第１０の発明は、第９の発明において、
各フィールドに各画素部に与える画素データの値をローパスフィルタを用いて前記入力画像信号の値に基づいて求める画素データ算出部を更に備え、
前記画素マトリクスを構成する奇数行および偶数行のうち本来の位置に対して半画素分ずれて配置されている方をシフト行と定義し、他方を通常行と定義したとき、前記ローパスフィルタとして、１個の画素部を中心とするＰ個の画素部にそれぞれ対応するＰ個の係数値を保持する通常行用ローパスフィルタと２個の画素部を中心とするＱ個の画素部にそれぞれ対応するＱ個の係数値を保持するシフト行用ローパスフィルタとが設けられていることを特徴とする。
【００２０】
第１１の発明は、第１０の発明において、
前記通常行用ローパスフィルタは、総和が１となるように、かつ、中心の１個の画素部に対応する係数値が最大であって当該中心の画素部からの距離が遠い画素部ほど係数値が小さくなるように、前記Ｐ個の係数値を保持し、
前記シフト行用ローパスフィルタは、総和が１となるように、かつ、中心の２個の画素部に対応する係数値が最大であって当該中心の画素部からの距離が遠い画素部ほど係数値が小さくなるように、前記Ｑ個の係数値を保持し、
画素データの値を求める対象の画素部を着目画素部と定義し、前記着目画素部が前記通常行に含まれているときに前記着目画素部を中心とするＰ個の画素部に１からＰまでの番号を割り当てたときのｋ番目の画素部についての前記入力画像信号の値をＤＰｋで表し、前記着目画素部が前記シフト行に含まれているときに前記着目画素部および半画素分ずれている側に前記着目画素部に隣接する画素部を中心とするＱ個の画素部に１からＱまでの番号を割り当てたときのｊ番目の画素部についての前記入力画像信号の値をＤＱｊで表し、前記通常行用ローパスフィルタに保持されている係数値のうちｋ番目の画素部に対応する係数値をＣＰｋで表し、前記シフト行用ローパスフィルタに保持されている係数値のうちｊ番目の画素部に対応する係数値をＣＱｊで表したとき、前記画素データ算出部は、前記着目画素部が前記通常行に含まれているときの前記着目画素部についての画素データの値ＶＰおよび前記着目画素部が前記シフト行に含まれているときの前記着目画素部についての画素データの値ＶＱをそれぞれ下記の式で求めることを特徴とする。
【数２】
2016136235.tif 000004
【数３】
2016136235.tif 000005
【００２１】
第１２の発明は、第１１の発明において、
前記通常行用ローパスフィルタは、前記第１タイプフィールドに前記第１の画素部に与える画素データの値および前記第１タイプフィールドに前記第２の画素部に与える画素データの値を求めるために用いられる第１の通常行用ローパスフィルタと、前記第２タイプフィールドに前記第１の画素部に与える画素データの値および前記第２タイプフィールドに前記第２の画素部に与える画素データの値を求めるために用いられる第２の通常行用ローパスフィルタとからなり、
前記シフト行用ローパスフィルタは、前記第１タイプフィールドに前記第１の画素部に与える画素データの値および前記第１タイプフィールドに前記第２の画素部に与える画素データの値を求めるために用いられる第１のシフト行用ローパスフィルタと、前記第２タイプフィールドに前記第１の画素部に与える画素データの値および前記第２タイプフィールドに前記第２の画素部に与える画素データの値を求めるために用いられる第２のシフト行用ローパスフィルタとからなり、
前記第１の通常行用ローパスフィルタと前記第２の通常行用ローパスフィルタとには互いに異なる係数値が保持され、
前記第１のシフト行用ローパスフィルタと前記第２のシフト行用ローパスフィルタとには互いに異なる係数値が保持されていることを特徴とする。
【００２２】
第１３の発明は、第１の発明において、
１フレーム期間には、更に、第３タイプフィールドが含まれ、
前記光源制御部は、前記第３タイプフィールドには前記第１タイプ発光体と前記第２タイプ発光体とが点灯状態となるよう、前記複数の光源の発光強度を制御し、
前記画素駆動部は、前記第３タイプフィールドには、前記第１原色と前記第２原色との混色成分に応じた画素データを前記第１の画素部に与えるとともに前記第１原色と前記第３原色との混色成分に応じた画素データを前記第２の画素部に与えることを特徴とする。
【００２３】
第１４の発明は、第１３の発明において、
各フィールドに各画素部に与える画素データの値を求めるために用いられる色値であって前記第１原色，前記第２原色，および前記第３原色のそれぞれについての色値をローパスフィルタを用いて前記入力画像信号の値に基づいて求める第１の計算部と、各フィールドに各画素部に与える画素データの値を前記第１の計算部によって求められた色値に基づいて求める第２の計算部とからなる画素データ算出部を更に備えることを特徴とする。
【００２４】
第１５の発明は、第１４の発明において、
前記ローパスフィルタは、総和が１となるように、かつ、中心の画素部に対応する係数値が最大であって当該中心の画素部からの距離が遠い画素部ほど係数値が小さくなるように、Ｐ個の画素部にそれぞれ対応するＰ個の係数値を保持し、
画素データの値を求める対象の画素部を着目画素部と定義し、前記着目画素部を中心とするＰ個の画素部に１からＰまでの番号を割り当てたときのｋ番目の画素部についての前記入力画像信号の値をＤｋで表し、前記ローパスフィルタに保持されている係数値のうちｋ番目の画素部に対応する係数値をＣｋで表したとき、前記第１の計算部は、前記入力画像信号に含まれる前記着目画素部についての前記第１原色の成分の値を前記着目画素部についての前記第１原色の色値とし、前記着目画素部についての前記第２原色および前記第３原色の色値Ｖｃｏｌを下記の式で求めることを特徴とする。
【数４】
2016136235.tif 000006
【００２５】
第１６の発明は、第１４の発明において、
前記第２の計算部は、
前記第１原色の色値および前記第２原色の色値のうちの小さい方の値を前記第３タイプフィールドに前記第１の画素部に与える画素データの値とし、
前記第１原色の色値および前記第３原色の色値のうちの小さい方の値を前記第３タイプフィールドに前記第２の画素部に与える画素データの値とすることを特徴とする。
【００２６】
第１７の発明は、第１の発明において、
前記複数の光源は、更に、前記第１原色の波長領域，前記第２原色の波長領域，および前記第３原色の波長領域の全てを発光領域に含む白色発光体を含み、
１フレーム期間には、更に、第３タイプフィールドが含まれ、
前記光源制御部は、前記第３タイプフィールドには前記白色発光体のみが点灯状態となるよう、前記複数の光源の発光強度を制御し、
前記画素駆動部は、前記第３タイプフィールドには、前記第１原色と前記第２原色との混色成分に応じた画素データを前記第１の画素部に与えるとともに前記第１原色と前記第３原色との混色成分に応じた画素データを前記第２の画素部に与えることを特徴とする。
【００２７】
第１８の発明は、第１の発明において、
前記第２タイプ発光体は、前記第２原色の波長領域と前記第３原色の波長領域とにピーク波長を有することを特徴とする。
【００２８】
第１９の発明は、第１８の発明において、
前記第２タイプ発光体は、前記第３原色の光を発する発光ダイオードと、前記発光ダイオードから発せられる光によって励起されて発光する第２原色の蛍光体とによって構成されていることを特徴とする。
【００２９】
第２０の発明は、第１８の発明において、
前記第２タイプ発光体は、前記第３原色の光を発する発光ダイオードと、前記発光ダイオードから発せられる光を前記第２原色の光に変換する量子ドットとによって構成されていることを特徴とする。
【００３０】
第２１の発明は、第１の発明において、
１フレーム期間には、ｍ種類（ｍは２以上の整数）の長さのｎ個（ｎはｍ以上の整数）の第１タイプフィールドとｍ種類の長さのｎ個の第２タイプフィールドとが含まれ、
フィールド毎に各画素部において光を透過させるか否かを制御することによって階調表示が行われることを特徴とする。
【００３１】
第２２の発明は、複数行×複数列の画素マトリクスを構成する複数の画素部と、前記複数の画素部に光を照射する複数の光源とを備えた表示装置の駆動方法であって、
第１原色，第２原色，および第３原色のそれぞれの成分を含む入力画像信号に応じた画素データを前記複数の画素部に与えることによって前記複数の画素部における光の透過状態を制御する画素駆動ステップと、
前記複数の光源の発光強度を制御する光源制御ステップと
を含み、
前記複数の画素部は、前記第１原色の光と前記第２原色の光とを透過する第１のカラーフィルタが設けられた第１の画素部と、前記第１原色の光と前記第３原色の光とを透過する第２のカラーフィルタが設けられた第２の画素部とからなり、
前記画素マトリクスの任意の行において互いに隣接する２つ画素部は、前記第１の画素部と前記第２の画素部とからなり、
前記複数の光源は、前記第１原色の波長領域を発光領域に含む発光体である第１タイプ発光体と、前記第２原色の波長領域および前記第３原色の波長領域の双方を発光領域に含む発光体、または、前記第２原色の波長領域を発光領域に含む発光体および前記第３原色の波長領域を発光領域に含む発光体である第２タイプ発光体からなり、
１フレーム期間には、少なくとも２つのタイプのフィールドである第１タイプフィールドおよび第２タイプフィールドが含まれ、
前記光源制御ステップでは、前記第１タイプフィールドには前記第１タイプ発光体のみが点灯状態となり、前記第２タイプフィールドには前記第２タイプ発光体のみが点灯状態となるよう、前記複数の光源の発光強度が制御され、
前記画素駆動ステップでは、前記第１タイプフィールドには、前記入力画像信号に含まれる前記第１原色の成分に応じた画素データが前記第１の画素部および前記第２の画素部に与えられ、前記第２タイプフィールドには、前記入力画像信号に含まれる前記第２原色の成分に応じた画素データが前記第１の画素部に与えられるとともに前記入力画像信号に含まれる前記第３原色の成分に応じた画素データが前記第２の画素部に与えられることを特徴とする。
【００３２】
第２３の発明は、複数行×複数列の画素マトリクスを構成する複数の画素部を含む表示パネルと、前記表示パネルに光を照射する複数の光源を含むバックライトと、第１原色，第２原色，および第３原色のそれぞれの成分を含む入力画像信号に応じた画素データを前記複数の画素部に与えることによって前記複数の画素部における光の透過状態を制御する画素駆動部と、前記複数の光源の発光強度を制御する光源制御部とを備えた表示装置であって、
前記複数の画素部は、前記第１原色の光と前記第２原色の光とを透過する第１のカラーフィルタが設けられた第１の画素部と、前記第１原色の光と前記第３原色の光とを透過する第２のカラーフィルタが設けられた第２の画素部とからなり、
前記画素マトリクスの任意の行において互いに隣接する２つの画素部は、前記第１の画素部と前記第２の画素部とからなり、
前記複数の光源は、前記第１原色の波長領域を発光領域に含む第１の発光源からなる第１タイプ発光体と、前記第３原色の波長領域を発光領域に含む第２の発光源および当該第２の発光源から発せられる光の波長を前記第２原色の光の波長に変換する波長変換素子からなる第２タイプ発光体とによって構成され、
前記バックライトは、前記第１の発光源から発せられる光および前記第２の発光源から発せられる光のうち前記第２の発光源から発せられる光のみが前記波長変換素子を通過するように構成され、
１フレーム期間には、少なくとも２つのタイプのフィールドである第１タイプフィールドおよび第２タイプフィールドが含まれ、
前記光源制御部は、前記第１タイプフィールドには前記第１タイプ発光体のみが点灯状態となり、前記第２タイプフィールドには前記第２タイプ発光体のみが点灯状態となるよう、前記複数の光源の発光強度を制御し、
前記画素駆動部は、前記第１タイプフィールドには、前記入力画像信号に含まれる前記第１原色の成分に応じた画素データを前記第１の画素部および前記第２の画素部に与え、前記第２タイプフィールドには、前記入力画像信号に含まれる前記第２原色の成分に応じた画素データを前記第１の画素部に与えるとともに前記入力画像信号に含まれる前記第３原色の成分に応じた画素データを前記第２の画素部に与えることを特徴とする。
【００３３】
第２４の発明は、第２３の発明において、
前記バックライトは、前面が前記表示パネル側に位置するように配置された導光板と、前記導光板と前記表示パネルとの間に配置された拡散板とを更に含み、
前記第１の発光源は、前記導光板の側面側に配置され、
前記第２の発光源は、前記導光板の背面側に配置され、
前記波長変換素子は、前記導光板と前記第２の発光源との間に配置されていることを特徴とする。
【００３４】
第２５の発明は、第２３の発明において、
前記バックライトは、前面が前記表示パネル側に位置するように配置された導光板と、前記導光板と前記表示パネルとの間に配置された拡散板とを更に含み、
前記第１の発光源は、前記導光板の背面側に配置され、
前記第２の発光源は、前記導光板の側面側に配置され、
前記波長変換素子は、前記導光板と前記第２の発光源との間に配置されていることを特徴とする。
【００３５】
第２６の発明は、第２３の発明において、
前記バックライトは、前面が前記表示パネル側に位置するように配置された導光板と、前記導光板と前記表示パネルとの間に配置された拡散板とを更に含み、
前記第１の発光源は、前記導光板の一方の側面側に配置され、
前記第２の発光源は、前記導光板の他方の側面側に配置され、
前記波長変換素子は、前記導光板の他方の側面と前記第２の発光源との間に配置されていることを特徴とする。
【００３６】
第２７の発明は、第２３の発明において、
前記バックライトは、前面が前記表示パネル側に位置するように配置された拡散板を更に含み、
前記第１の発光源および前記第２の発光源は、前記拡散板の背面側に配置され、
前記第１の発光源から発せられる光が前記波長変換素子を通過することがないように、前記波長変換素子は前記第２の発光源の近傍に配置されていることを特徴とする。
【００３７】
第２８の発明は、第２７の発明において、
前記第１の発光源と前記第２の発光源との間に遮光壁が設けられ、
前記第２の発光源は、前記波長変換素子によって覆われていることを特徴とする。
【００３８】
第２９の発明は、第２７の発明において、
前記第１の発光源と前記第２の発光源との間に遮光壁が設けられ、
前記第２の発光源の表面に前記波長変換素子が塗布されていることを特徴とする。
【００３９】
第３０の発明は、第２３の発明において、
前記バックライトは、前面が前記表示パネル側に位置するように配置された導光板と、前記導光板と前記表示パネルとの間に配置された拡散板とを更に含み、
前記第１の発光源と前記第２の発光源とが前記導光板の少なくとも１つの側面側に交互に配置され、
前記第１の発光源から発せられる光が前記波長変換素子を通過することがないように、前記波長変換素子は、前記導光板と前記第２の発光源との間の領域において前記第２の発光源の近傍に配置されていることを特徴とする。
【００４０】
第３１の発明は、第２３の発明において、
前記複数の光源は、更に、前記第１原色の波長領域，前記第２原色の波長領域，および前記第３原色の波長領域の全てを発光領域に含む白色発光体を含み、
前記バックライトは、前記白色発光体から発せられる光が前記波長変換素子を通過しないように構成され、
１フレーム期間には、更に、第３タイプフィールドが含まれ、
前記光源制御部は、前記第３タイプフィールドには前記白色発光体のみが点灯状態となるよう、前記複数の光源の発光強度を制御し、
前記画素駆動部は、前記第３タイプフィールドには、前記第１原色と前記第２原色との混色成分に応じた画素データを前記第１の画素部に与えるとともに前記第１原色と前記第３原色との混色成分に応じた画素データを前記第２の画素部に与えることを特徴とする。
【発明の効果】
【００４１】
上記第１の発明によれば、複数の画素部は、第１原色の光および第２原色の光を透過する第１のカラーフィルタが設けられた第１の画素部と、第１原色の光および第３原色の光を透過する第２のカラーフィルタが設けられた第２の画素部とによって構成されている。このような構成において、１フレーム期間には、少なくとも、第１原色の波長領域の光が光源から発せられる第１タイプフィールドと、第２原色の波長領域の光および第３原色の波長領域の光が光源から発せられる第２タイプフィールドとが含まれている。これにより、第１タイプフィールドには、第１の画素部および第２の画素部の双方で第１原色が表示され、第２タイプフィールドには、第１の画素部で第２原色が表示されるとともに第２の画素部で第３原色が表示される。このようにして、カラー画像が表示される。ところで、カラーフィルタ方式によれば、１画素は３つのサブ画素によって構成されているので、各色の光源の光利用効率は約３３％であった。これに対して、上記第１の発明によれば、第１タイプ発光体の光利用効率は１００％となり、第２タイプ発光体の光利用効率は５０％となる。このように光利用効率が高められるので、消費電力が低減する。
【００４２】
また、上記第１の発明によれば、彩度の高い第１原色の表示が行われる際に、第１原色の光に第２原色および第３原色の光が混ざらない。また、彩度の高い第２原色や第３原色の表示が行われる際に、第２原色や第３原色の光に第１原色の光が混ざらない。以上より、従来よりも広色域化を実現することが可能となる。
【００４３】
さらに、上記第１の発明によれば、従来のフィールドシーケンシャル方式と比べて１フレーム期間を構成するフィールド数が少なくなる。このため、フィールドの長さを従来と同じ長さにすれば、従来よりも高フレームレートが実現される。また、フレームレートを従来と同じにした場合には、充電不足に起因する表示品位の低下が防止されるとともに、光源の発光継続時間が長くなることにより必要電力値が低くなって光源の発光効率が上がるため消費電力が低減される。
【００４４】
上記第２の発明によれば、発光効率の低い緑色光源の光利用効率が顕著に高められるので、消費電力低減の効果が大きく得られる。また、彩度の高い緑色の表示が行われる際に、緑色の光に赤色および青色の光が混ざらない。これにより、緑色の色域拡大に大きな効果が得られる。
【００４５】
上記第３の発明によれば、色調補正が行われるので、より目標に近い色を表示することが可能となる。
【００４６】
上記第４の発明によれば、上記第３の発明と同様の効果が得られる。
【００４７】
上記第５の発明によれば、上記第３の発明と同様の効果が得られる。
【００４８】
上記第６の発明によれば、上記第３の発明と同様の効果が得られる。
【００４９】
上記第７の発明によれば、各画素部に与える画素データの値はローパスフィルタを用いて算出される。このため、ローパスフィルタ内の係数値を適宜の値に設定しておくことにより、第２原色および第３原色についての各画素部における画素データの値を周囲の画素部のデータを考慮して求めることが可能となる。これにより、第１の画素部においても第２の画素部においても実質的に１画素分の情報（３原色の情報）を表示することが可能となる。従って、従来よりも高精細化・高解像度化が可能となる。
【００５０】
上記第８の発明によれば、エイリアシングの発生が効果的に抑制されるとともに、従来よりも高精細化・高解像度化が実現される。
【００５１】
上記第９の発明によれば、奇数行目の画素部および偶数行目の画素部の一方が他方に対して半画素分ずれている構成が採用されている表示装置において、上記第１の発明と同様の効果が得られる。
【００５２】
上記第１０の発明によれば、上記第７の発明と同様、従来よりも高精細化・高解像度化が可能となる。
【００５３】
上記第１１の発明によれば、上記第８の発明と同様、エイリアシングの発生が効果的に抑制されるとともに、従来よりも高精細化・高解像度化が実現される。
【００５４】
上記第１２の発明によれば、より効果的にエイリアシングの発生が抑制される。
【００５５】
上記第１３の発明によれば、１フレーム期間には、第１原色の波長領域の光，第２原色の波長領域の光，および第３原色の波長領域の光が光源から発せられる第３タイプフィールドが含まれている。第１の画素部では、第３タイプフィールドには第１原色と第２原色との混色の表示が行われる。第２の画素部では、第３タイプフィールドには第１原色と第３原色との混色の表示が行われる。このように第３タイプフィールドにおいて混色の表示が行われることによって、色割れの発生が抑制される。特に、従来のフィールドシーケンシャル方式で色割れの問題が大きかったシアン，イエロー，およびマゼンダの各色はある特定の１つのフィールドのみで表示可能となるため、これらの色が表示される際に色割れの発生が確実に抑止される。
【００５６】
上記第１４の発明によれば、上記第７の発明と同様、従来よりも高精細化・高解像度化が可能となる。
【００５７】
上記第１５の発明によれば、上記第８の発明と同様、エイリアシングの発生が効果的に抑制されるとともに、従来よりも高精細化・高解像度化が実現される。
【００５８】
上記第１６の発明によれば、色割れ抑制の効果が最大限に得られる。
【００５９】
上記第１７の発明によれば、白色発光体として発光効率の良い白色ＬＥＤを用いることによって、消費電力を顕著に低減することが可能となる。
【００６０】
上記第１８の発明によれば、第２原色の光および第３原色の光が効果的に画素部に与えられる。
【００６１】
上記第１９の発明によれば、発光効率が高められるので、消費電力を顕著に低減することが可能となる。
【００６２】
上記第２０の発明によれば、発光効率が高められるので、消費電力を顕著に低減することが可能となる。
【００６３】
上記第２１の発明によれば、時分割階調方式を採用する表示装置において、上記第１の発明と同様の効果が得られる。
【００６４】
上記第２２の発明によれば、上記第１の発明と同様の効果を表示装置の駆動方法において奏することができる。
【００６５】
上記第２３の発明によれば、バックライトを構成する複数の光源は、第１原色の波長領域を発光領域に含む第１の発光源からなる第１タイプ発光体と、第３原色の波長領域を発光領域に含む第２の発光源および当該第２の発光源から発せられる光の波長を第２原色の光の波長に変換する波長変換素子からなる第２タイプ発光体とによって構成されている。ここで、バックライトは、第２の発光源から発せられる光のみが波長変換素子を通過するような構造を有している。このため、バックライトに波長変換素子が含まれていても、第１の発光源のみが点灯状態になったときには第１原色の波長領域の光のみが表示パネルに照射される。従って、第１原色の光および第２原色の光を透過する第１のカラーフィルタが設けられた第１の画素部と第１原色の光および第３原色の光を透過する第２のカラーフィルタが設けられた第２の画素部とによって構成された複数の画素部を含む表示パネルを、第１の発光源のみを点灯状態にするフィールド（第１タイプフィールド）と第２の発光源のみを点灯状態にするフィールド（第２タイプフィールド）とが交互に現れるフィールドシーケンシャル方式で駆動させたときに、所望のカラー画像が表示される。ここで、第２原色の光を表示パネルに与えるための構成要素として（発光ダイオードなどの発光源ではなく）波長変換素子が用いられているので、消費電力を顕著に低減することが可能となる。また、第２原色の光の波長のピークが顕著に鋭くなり、第２原色の色域が拡大するという効果が得られる。
【００６６】
上記第２４の発明によれば、上記第２３の発明と同様の効果が得られる。
【００６７】
上記第２５の発明によれば、上記第２３の発明と同様の効果が得られる。
【００６８】
上記第２６の発明によれば、光源はいわゆるエッジ型のもののみで構成されるので、バックライトの構造が簡単なものとなる。また、導光板の背面側には光源が設けられないため、薄型化が可能となる。
【００６９】
上記第２７の発明によれば、光源はいわゆる直下型のもののみで構成されるので、バックライトの構造が簡単なものとなる。また、画面を論理的に複数のエリアに分割してエリア毎に光源の輝度を制御するローカルディミング駆動を行うことが可能となるので、更なる消費電力低減の効果が得られる。
【００７０】
上記第２８の発明によれば、上記第２３の発明と同様の効果が確実に得られる。
【００７１】
上記第２９の発明によれば、上記第２３の発明と同様の効果が確実に得られる。
【００７２】
上記第３０の発明によれば、導光板の背面側には光源が設けられないため、薄型化が可能となる。また、導光板の側面において第１の発光源と第２の発光源とが交互に配置されるので、より好適な輝度分布を得ることが可能となる。
【００７３】
上記第３１の発明によれば、白色発光体として発光効率の良い白色ＬＥＤを用いることによって、消費電力を顕著に低減することが可能となる。
【図面の簡単な説明】
【００７４】
【図１】本発明の第１の実施形態に係る表示装置の全体構成を示すブロック図である。
【図２】上記第１の実施形態における表示パネルの構成を示す概略図である。
【図３】上記第１の実施形態における画素部について説明するための模式図である。
【図４】上記第１の実施形態において、黄色カラーフィルタについて説明するための図である。
【図５】上記第１の実施形態において、シアン色カラーフィルタについて説明するための図である。
【図６】上記第１の実施形態において、フレームの構成について説明するための図である。
【図７】上記第１の実施形態において、各フィールドの詳細について説明するための図である。
【図８】上記第１の実施形態において、フィールド毎の各画素部における表示色について説明するための図である。
【図９】上記第１の実施形態において、３行×３列のローパスフィルタの一例を示す図である。
【図１０】上記第１の実施形態において、５行×５列のローパスフィルタの一例を示す図である。
【図１１】上記第１の実施形態において、出力画素値の算出について説明するための図である。
【図１２】上記第１の実施形態において、表示部の端部での出力画素値の算出について説明するための図である。
【図１３】上記第１の実施形態における効果について説明するための図である。
【図１４】上記第１の実施形態の第１の変形例における画素部について説明するための模式図である。
【図１５】上記第１の実施形態の第１の変形例において、マゼンダ色カラーフィルタについて説明するための図である。
【図１６】上記第１の実施形態の第１の変形例において、各フィールドの詳細について説明するための図である。
【図１７】上記第１の実施形態の第１の変形例において、フィールド毎の各画素部における表示色について説明するための図である。
【図１８】上記第１の実施形態の第２の変形例における画素部について説明するための模式図である。
【図１９】上記第１の実施形態の第２の変形例において、各フィールドの詳細について説明するための図である。
【図２０】上記第１の実施形態の第２の変形例において、フィールド毎の各画素部における表示色について説明するための図である。
【図２１】ＬＥＤと波長変換物質との組み合わせからなる光源を用いた場合について説明するための図である。
【図２２】ＬＥＤと波長変換物質との組み合わせからなる光源を用いた場合について説明するための図である。
【図２３】ＬＥＤと波長変換物質との組み合わせからなる光源を用いた場合について説明するための図である。
【図２４】ＬＥＤと波長変換物質との組み合わせからなる光源を用いた場合について説明するための図である。
【図２５】上記第１の実施形態の光源に関する変形例について説明するための図である。
【図２６】上記第１の実施形態の光源に関する変形例について説明するための図である。
【図２７】上記第１の実施形態の光源に関する変形例について説明するための図である。
【図２８】上記第１の実施形態の光源に関する変形例に関し、バックライトの構造についての第１の例を示す模式図である。
【図２９】上記第１の例の別の例を示す模式図である。
【図３０】上記第１の実施形態の光源に関する変形例に関し、バックライトの構造についての第２の例を示す模式図である。
【図３１】上記第２の例の別の例を示す模式図である。
【図３２】上記第１の実施形態の光源に関する変形例に関し、バックライトの構造についての第３の例を示す模式図である。
【図３３】上記第３の例に関し、光源の近傍の詳細な構造を示す図である。
【図３４】上記第３の例に関し、光源の近傍の詳細な構造を示す図である。
【図３５】上記第１の実施形態の光源に関する変形例に関し、バックライトの構造についての第４の例を示す模式図（側面図）である。
【図３６】上記第１の実施形態の光源に関する変形例に関し、バックライトの構造についての第４の例を示す模式図（平面図）である。
【図３７】本発明の第２の実施形態におけるフレームの構成について説明するための図である。
【図３８】上記第２の実施形態において、各フィールドの詳細について説明するための図である。
【図３９】上記第２の実施形態において、フィールド毎の各画素部における表示色について説明するための図である。
【図４０】上記第２の実施形態における効果について説明するためのｘｙ色度図である。
【図４１】上記第２の実施形態における効果について説明するためのｘｙ色度図である。
【図４２】上記第２の実施形態の第１の変形例において、各フィールドの詳細について説明するための図である。
【図４３】上記第２の実施形態の第１の変形例において、フィールド毎の各画素部における表示色について説明するための図である。
【図４４】上記第２の実施形態の第２の変形例において、各フィールドの詳細について説明するための図である。
【図４５】上記第２の実施形態の第２の変形例において、フィールド毎の各画素部における表示色について説明するための図である。
【図４６】上記第２の実施形態の変形例において、白色ＬＥＤを用いた場合の各フィールドの詳細について説明するための図である。
【図４７】上記第２の実施形態の第３の変形例において、バックライトに含まれる光源の構成例を示す図である。
【図４８】上記第２の実施形態の第３の変形例において、バックライトの構造を示す模式図である。
【図４９】上記第２の実施形態の第３の変形例において、第１フィールドの点灯状態について説明するための図である。
【図５０】上記第２の実施形態の第３の変形例において、第２フィールドの点灯状態について説明するための図である。
【図５１】上記第２の実施形態の第３の変形例において、第３フィールドの点灯状態について説明するための図である。
【図５２】本発明の第３の実施形態における画素部について説明するための模式図である。
【図５３】上記第３の実施形態の別の例における画素部を表す模式図である。
【図５４】上記第３の実施形態において、出力画素値の算出について説明するための図である。
【図５５】上記第３の実施形態において、出力画素値の算出について説明するための図である。
【図５６】上記第３の実施形態において、着目画素部が奇数行目に含まれていて、かつ、緑色についての出力画素値の算出が行われる際に使用されるローパスフィルタの一例を示す図である。
【図５７】上記第３の実施形態において、着目画素部が偶数行目に含まれていて、かつ、緑色についての出力画素値の算出が行われる際に使用されるローパスフィルタの一例を示す図である。
【図５８】上記第３の実施形態において、着目画素部が偶数行目に含まれていて、かつ、赤色または青色についての出力画素値の算出が行われる際に使用されるローパスフィルタの一例を示す図である。
【図５９】上記第３の実施形態において、着目画素部が奇数行目に含まれている場合の緑色の出力画素値の算出について説明するための図である。
【図６０】上記第３の実施形態において、着目画素部が偶数行目に含まれている場合の緑色の出力画素値の算出について説明するための図である。
【図６１】上記第３の実施形態において、着目画素部が奇数行目に含まれている場合の赤色の出力画素値の算出について説明するための図である。
【図６２】上記第３の実施形態において、着目画素部が偶数行目に含まれている場合の赤色の出力画素値の算出について説明するための図である。
【図６３】本発明の第４の実施形態における表示パネルの構成を示す概略図である。
【図６４】上記第４の実施形態において、フレームの構成について説明するための図である。
【図６５】上記第４の実施形態において、各サブフレームの長さについて説明するための図である。
【図６６】上記第４の実施形態において、各階調値を表現するために各サブフレームにおいて光の透過／遮断をどのように制御するかを表した図である。
【図６７】上記第４の実施形態において、各階調値を表現するために各サブフレームにおいて光の透過／遮断をどのように制御するかを表した図である。
【発明を実施するための形態】
【００７５】
以下、添付図面を参照しつつ、本発明の実施形態について説明する。
【００７６】
＜１．第１の実施形態＞
＜１．１  全体構成および動作概要＞
図１は、本発明の第１の実施形態に係る表示装置の全体構成を示すブロック図である。なお、本実施形態に係る表示装置は、液晶表示装置である。この表示装置は、映像入力部１００と映像処理部１１０とタイミング制御部１２０とＬＥＤ制御部２００とＬＥＤドライバ２１０とパネルドライバ３００と表示パネル４００とバックライト５００とによって構成されている。映像処理部１１０には、ローパスフィルタ１１２が含まれている。パネルドライバ３００には、ゲートドライバ３１およびソースドライバ３２が含まれている。なお、ゲートドライバ３１あるいはソースドライバ３２もしくはその双方が表示パネル４００内に設けられていても良い。
【００７７】
バックライト５００には、赤色の光を発する赤色光源（赤色発光体），緑色の光を発する緑色光源（緑色発光体），および青色の光を発する青色光源（青色発光体）が含まれている。本実施形態においては、バックライト５００の光源には、ＬＥＤ（発光ダイオード）が採用されている。すなわち、バックライト５００は、赤色ＬＥＤ，緑色ＬＥＤ，および青色ＬＥＤによって構成されている。
【００７８】
なお、本実施形態においては、ゲートドライバ３１とソースドライバ３２とによって画素駆動部が実現され、ＬＥＤ制御部２００とＬＥＤドライバ２１０とによって光源制御部が実現され、映像処理部１１０によって画素データ算出部が実現されている。また、緑色によって第１原色が実現され、赤色によって第２原色が実現され、青色によって第３原色が実現されている。さらに、緑色光源によって第１タイプ発光体が実現され、赤色光源および青色光源によって第２タイプ発光体が実現されている。
【００７９】
図２は、表示パネル４００の構成を示す概略図である。なお、本実施形態における表示パネル４００は液晶パネルである。表示パネル４００には、画像を表示するための表示部４０が含まれている。表示部４０には、複数本のソースバスライン（映像信号線）ＳＬと複数本のゲートバスライン（走査信号線）ＧＬとが配設されている。複数本のソースバスラインＳＬと複数本のゲートバスラインＧＬとの各交差点に対応して、画素を形成する画素部４が設けられている。すなわち、表示部４０には、複数個の画素部４が含まれている。上記複数個の画素部４はマトリクス状に配置されて複数行×複数列の画素マトリクスを構成している。各画素部４には、対応する交差点を通過するゲートバスラインＧＬにゲート端子が接続されると共に当該交差点を通過するソースバスラインＳＬにソース端子が接続されたスイッチング素子であるＴＦＴ（薄膜トランジスタ）４９と、そのＴＦＴ４９のドレイン端子に接続された画素電極４１と、上記複数個の画素部４に共通的に設けられた共通電極４４および補助容量電極４５と、画素電極４１と共通電極４４とによって形成される液晶容量４２と、画素電極４１と補助容量電極４５とによって形成される補助容量４３とが含まれている。液晶容量４２と補助容量４３とによって画素容量４６が構成されている。なお、図２における表示部４０内には、１つの画素部４に対応する構成要素のみを示している。
【００８０】
表示部４０内のＴＦＴ４９としては、例えばａ−Ｓｉ  ＴＦＴ（チャネル層にアモルファスシリコンを用いた薄膜トランジスタ）や酸化物ＴＦＴ（チャネル層に酸化物半導体を用いた薄膜トランジスタ）を採用することができる。酸化物ＴＦＴとしては、例えば、インジウム（Ｉｎ），ガリウム（Ｇａ），亜鉛（Ｚｎ），および酸素（Ｏ）を主成分とする酸化物半導体であるＩｎ−Ｇａ−Ｚｎ−Ｏ（酸化インジウムガリウム亜鉛）によってチャネル層が形成されたＴＦＴが挙げられる。このような酸化物ＴＦＴを採用することにより、高精細化や低消費電力化の効果が得られるのに加えて、従来よりも書き込み速度を高めることができる。
【００８１】
次に、図１に示す構成要素の動作について説明する。映像入力部１００は、入力画像信号ＤＩＮを受け取り、当該入力画像信号ＤＩＮを映像処理部１１０での処理が可能なフォーマットに変換する。映像入力部１００での変換処理によって得られた映像信号ＶＳ１は、映像処理部１１０に与えられる。
【００８２】
映像処理部１１０は、映像入力部１００から与えられる映像信号ＶＳ１を、本実施形態におけるフィールドシーケンシャル用の映像信号ＶＳ２に変換する。その際、ローパスフィルタ１１２が用いられる。映像処理部１１０での変換処理によって得られた映像信号ＶＳ２は、タイミング制御部１２０に与えられる。なお、この映像処理部１１０での変換処理についての詳しい説明は後述する。
【００８３】
タイミング制御部１２０は、映像処理部１１０から与えられる映像信号ＶＳ２を受け取り、デジタル映像信号ＤＶと、ゲートドライバ３１の動作を制御するためのゲート制御信号ＧＣＴＬと、ソースドライバ３２の動作を制御するためのソース制御信号ＳＣＴＬとを出力する。ゲート制御信号ＧＣＴＬには、例えば、ゲートスタートパルス信号およびゲートクロック信号が含まれている。ソース制御信号ＳＣＴＬには、例えば、ソーススタートパルス信号，ソースクロック信号，およびラッチストローブ信号が含まれている。タイミング制御部１２０は、また、バックライト５００内の各光源が表示パネル４００の駆動タイミングと同期して点灯するよう、制御信号Ｃ１を出力する。
【００８４】
ゲートドライバ３１は、タイミング制御部１２０から与えられるゲート制御信号ＧＣＴＬに基づいて、アクティブな走査信号の各ゲートバスラインＧＬへの印加を１垂直走査期間を周期として繰り返す。
【００８５】
ソースドライバ３２は、タイミング制御部１２０から与えられるデジタル映像信号ＤＶおよびソース制御信号ＳＣＴＬを受け取り、各ソースバスラインＳＬに画素データとしての駆動用映像信号を印加する。このとき、ソースドライバ３２では、ソースクロック信号のパルスが発生するタイミングで、各ソースバスラインＳＬに印加すべき電圧を示すデジタル映像信号ＤＶが順次に保持される。そして、ラッチストローブ信号のパルスが発生するタイミングで、上記保持されたデジタル映像信号ＤＶがアナログ電圧に変換される。その変換されたアナログ電圧は、駆動用映像信号として全てのソースバスラインＳＬに一斉に印加される。
【００８６】
ＬＥＤ制御部２００は、タイミング制御部１２０から与えられる制御信号Ｃ１を受け取り、ＬＥＤドライバ２１０の動作を制御するための制御信号Ｃ２を出力する。ＬＥＤドライバ２１０は、ＬＥＤ制御部２００から与えられる制御信号Ｃ２に基づいて、バックライト５００を構成する各光源の発光強度を制御するためのバックライト制御信号ＢＳを出力する。バックライト５００では、バックライト制御信号ＢＳに基づく発光強度で各光源が発光する（光源が消灯する場合もある）。
【００８７】
以上のようにして、各ゲートバスラインＧＬに走査信号が印加され、各ソースバスラインＳＬに画素データとしての駆動用映像信号が印加され、各光源の発光強度が適宜調整されることにより、入力画像信号ＤＩＮに応じたカラー画像が表示パネル４００の表示部４０に表示される。
【００８８】
＜１．２  画素の構成＞
図３は、本実施形態における画素部４について説明するための模式図である。なお、図３には、２５個の画素を模式的に示している。本実施形態においては、表示部４０に設けられている複数の画素部４は、黄色カラーフィルタが設けられた第１の画素部ＰＩＸ１と、シアン色カラーフィルタが設けられた第２の画素部ＰＩＸ２とによって構成されている。黄色カラーフィルタは、図４に示すように、赤色の波長領域の光および緑色の波長領域の光を透過し、青色の波長領域の光を遮断する。従って、第１の画素部ＰＩＸ１では、画素容量４６への駆動用映像信号の書き込み状態に応じて、赤色の光および緑色の光の透過量が制御される。シアン色カラーフィルタは、図５に示すように、緑色の波長領域の光および青色の波長領域の光を透過し、赤色の波長領域の光を遮断する。従って、第２の画素部ＰＩＸ２では、画素容量４６への駆動用映像信号の書き込み状態に応じて、緑色の光および青色の光の透過量が制御される。以上のような第１の画素部ＰＩＸ１および第２の画素部ＰＩＸ２が、図３に示すように、表示部４０内において、ゲートバスラインＧＬの伸びる方向に交互に配置され、かつ、ソースバスラインＳＬの伸びる方向に交互に配置されている。なお、本実施形態においては、黄色カラーフィルタによって第１のカラーフィルタが実現され、シアン色カラーフィルタによって第２のカラーフィルタが実現されている。
【００８９】
＜１．３  フレームの構成＞
図６は、本実施形態におけるフレームの構成について説明するための図である。本実施形態においては、１画面の表示期間である１フレーム期間は、第１フィールドＦｉ１と第２フィールドＦｉ２とによって構成されている。すなわち、従来のフィールドシーケンシャル方式とは異なり、１フレーム期間は２つだけのフィールドに分割されている。
【００９０】
ここで、図７を参照しつつ、各フィールドの詳細について説明する。図７で符号６１で示す行には、各フィールドにおける各光源の状態を示している。図７で符号６２で示す行には、各フィールドにおいて各画素部に何色のデータが与えられるのかを示している（図１６，図１９，図３８，図４２，図４４，および図４６についても同様）。第１フィールドＦｉ１には、緑色光源のみが点灯状態（オン）となり、赤色光源および青色光源は消灯状態（オフ）となる。この第１フィールドＦｉ１には、入力画像信号ＤＩＮの緑色成分に基づくデータが駆動用映像信号として第１の画素部ＰＩＸ１および第２の画素部ＰＩＸ２に与えられる。第２フィールドＦｉ２には、赤色光源および青色光源が点灯状態（オン）となり、緑色光源は消灯状態（オフ）となる。この第２フィールドＦｉ２には、入力画像信号ＤＩＮの赤色成分に基づくデータが駆動用映像信号として第１の画素部ＰＩＸ１に与えられるとともに、入力画像信号ＤＩＮの青色成分に基づくデータが駆動用映像信号として第２の画素部ＰＩＸ２に与えられる。
【００９１】
以上より、本実施形態においては、図８に示すように、第１フィールドＦｉ１には、第１の画素部ＰＩＸ１および第２の画素部ＰＩＸ２の双方で緑色が表示され、第２フィールドＦｉ２には、第１の画素部ＰＩＸ１で赤色が表示されるとともに第２の画素部ＰＩＸ２で青色が表示される。なお、第１フィールドＦｉ１によって第１タイプフィールドが実現され、第２フィールドＦｉ２によって第２タイプフィールドが実現されている。
【００９２】
＜１．４  映像処理部での変換処理＞
次に、映像処理部１１０（図１参照）での変換処理について詳しく説明する。なお、映像処理部１１０には入力画像信号ＤＩＮが直接的に入力されるわけではないが、映像入力部１００では単にフォーマットの変換が行われるだけであるので、映像処理部１１０には入力画像信号ＤＩＮの値が入力画素値として与えられるものとする。赤色，緑色，および青色についての入力画素値をそれぞれＲｉｎ，Ｇｉｎ，およびＢｉｎと表す。また、各画素部に与えられる駆動用映像信号はソースドライバ３２から出力されるが、駆動用映像信号は映像処理部１１０から出力される映像信号ＶＳ２に基づくデータであるので、映像処理部１１０で算出された出力画素値を有する画素データが各画素部に与えられるものとする。赤色，緑色，および青色についての出力画素値をそれぞれＲｏｕｔ，Ｇｏｕｔ，およびＢｏｕｔと表す。
【００９３】
＜１．４．１  緑色についての出力画素値の算出＞
緑色については、全ての画素部のデータに関し、入力画素値がそのまま出力画素値とされる。すなわち、任意の画素部に関し、次式（１）が成立する。
Ｇｏｕｔ＝Ｇｉｎ  ・・・（１）
【００９４】
＜１．４．２  赤色および青色についての出力画素値の算出＞
本実施形態においては、第１フィールドＦｉ１には、第１の画素部ＰＩＸ１および第２の画素部ＰＩＸ２の双方で緑色が表示され、第２フィールドＦｉ２には、第１の画素部ＰＩＸ１では赤色が表示され、第２の画素部ＰＩＸ２では青色が表示される。従って、第１の画素部ＰＩＸ１では青色の表示が行われることはなく、第２の画素部ＰＩＸ２では赤色の表示が行われることはない。そこで、赤色および青色についての出力画素値を求める際に、画素値のデータについて単純な間引きを行うことが考えられる。なお、「単純な間引き」とは、第１の画素部ＰＩＸ１に対応する青色の入力画素値のデータおよび第２の画素部ＰＩＸ２に対応する赤色の入力画素値のデータを破棄し、第１の画素部ＰＩＸ１に対応する赤色の入力画素値をそのまま第１の画素部ＰＩＸ１における赤色の出力画素値とし、第２の画素部ＰＩＸ２に対応する青色の入力画素値をそのまま第２の画素部ＰＩＸ２における青色の出力画素値とすることを意味する。
【００９５】
ところが、上述のような単純な間引きが行われると、赤色の情報および青色の情報の欠落に起因するエイリアシングが発生する。そこで、本実施形態においては、映像処理部１１０では、エイリアシングの発生を抑制するために、後述するようにローパスフィルタ１１２を用いて赤色および青色についての出力画素値の算出が行われる。
【００９６】
ローパスフィルタ１１２は、マトリクス状に配置された所定個数の画素部にそれぞれ対応する係数値を保持するフィルタであり、模式的には、例えば図９や図１０のように表される。図９は、３行×３列のローパスフィルタ１１２の一例を示す図である。図１０は、５行×５列のローパスフィルタ１１２の一例を示す図である。図９および図１０から把握されるように、ローパスフィルタ１１２に保持されている係数値の総和は１となっている。また、中心の画素部に対応する係数値が最大となっていて、中心の画素部からの距離が遠い画素部ほど係数値が小さくなっている。
【００９７】
なお、以下においては、出力画素値の算出対象の画素部を「着目画素部」と定義する。また、着目画素部を中心とする２５個の画素部をそれぞれ図１１に示すマトリクス内の数値に対応付ける。例えば、着目画素部は「１３」に対応付けられ、着目画素部の２行上の画素部は「３」に対応付けられる。このようにして各画素部に対応付けられた数値を、各画素部における入力画素値を表す際に添え字として用いる。例えば、着目画素部における入力画素値をＲｉｎ13と表し、着目画素部の２行上の画素部における入力画素値をＲｉｎ3と表す。
【００９８】
以上のような前提の下、図９に示すローパスフィルタ１１２が用いられるときには、赤色についての着目画素部における出力画素値Ｒｏｕｔは次式（２）で算出され、青色についての着目画素部における出力画素値Ｂｏｕｔは次式（３）で算出される。なお、赤色についての着目画素部は第１の画素部ＰＩＸ１であり、青色についての着目画素部は第２の画素部ＰＩＸ２である。
【数５】
2016136235.tif 000007
【数６】
2016136235.tif 000008
【００９９】
また、図１０に示すローパスフィルタ１１２が用いられるときには、赤色についての着目画素部における出力画素値Ｒｏｕｔは次式（４）で算出され、青色についての着目画素部における出力画素値Ｂｏｕｔは次式（５）で算出される。
【数７】
2016136235.tif 000009
【数８】
2016136235.tif 000010
【０１００】
以上のように、赤色および青色についての出力画素値はローパスフィルタ１１２を用いて算出される。このため、赤色および青色はいずれも２つの画素部のうちの１つの画素部でしか表示されないが、各画素部で表示される色（第１の画素部ＰＩＸ１で表示される赤色、第２の画素部ＰＩＸ２で表示される青色）の階調値は周囲の画素部の入力画素値が考慮された値となる。これにより、赤色の情報および青色の情報の欠落に起因するエイリアシングの発生が抑制される。
【０１０１】
＜１．４．３  端部での処理＞
ところで、ローパスフィルタ１１２を用いて出力画素値の算出が行われる際、着目画素部が例えば表示部４０の左端の画素部であれば、着目画素部の左側の画素部の入力画素値を取得することができない。このように、表示部４０の端部の画素部を着目画素部として出力画素値の算出が行われる際には、着目画素部の周囲の画素部の入力画素値が取得されないことがある。そこで、表示部４０の端部の画素部についての出力画素値の求め方の一例を以下に説明する。なお、ここでは表示部４０の左上端に着目する。
【０１０２】
表示部４０の左上端の９個の画素部の入力画素値が図１２のＡ部で示すような値であると仮定する。例えば、符号６６で示す画素部の入力画素値はｄ（ａ）であって、符号６７で示す画素部の入力画素値はｄ（ｇ）であると仮定する。ここで、図１２のＢ部に示すように、表示部４０外の領域に仮想的な画素部が存在することを想定する。その仮想的な画素部の入力画素値については、隣接する画素部の入力画素値と同じ値に設定する。例えば、符号６６で示す画素部に着目すると、左側，左上側，および上側の仮想的な画素部の入力画素値はいずれもｄ（ａ）に設定される。また、符号６７で示す画素部に着目すると、左側の仮想的な画素部の入力画素値はｄ（ｇ）に設定される。
【０１０３】
以上のようにして設定された仮想的な画素部の入力画素値のデータと、実際の画素部の入力画素値のデータとを用いることにより、表示部４０の端部の画素部についてもローパスフィルタ１１２を用いて好適な出力画素値を算出することができる。
【０１０４】
＜１．５  透過率の補償について＞
本実施形態においては、赤色が表示される画素部の数は、緑色が表示される画素部の数の２分の１となる。同様に、青色が表示される画素部の数は、緑色が表示される画素部の数の２分の１となる。このため、仮に赤色光源の光量および青色光源の光量を従来と同じにすると、目標とする色が表示されない。従って、赤色および青色に関して透過率の補償が行われる必要がある。そこで、本実施形態においては、赤色光源，緑色光源，および青色光源からなるバックライトでホワイトバランスが取れた状態の各光源の光量を基準として赤色光源および青色光源の光量が２倍となるように、ＬＥＤ制御部２００によって各光源の発光強度の調整が行われる。
【０１０５】
なお、上述した手法以外の手法によって、赤色および青色に関する透過率の補償が行われても良い。具体的には、第１フィールドＦｉ１の長さと第２フィールドＦｉ２の長さとを異ならせること、あるいは、第１フィールドＦｉ１における光源の点灯期間の長さと第２フィールドＦｉ２における光源の点灯期間の長さとを異ならせることによって、各画素部における透過光量の調整が行われるようにしても良い。より具体的には、第２フィールドＦｉ２の長さを第１フィールドＦｉ１の長さの２倍にすること、あるいは、第２フィールドＦｉ２における光源の点灯期間の長さを第１フィールドＦｉ１における光源の点灯期間の長さの２倍にすることによって、各ＬＥＤからの出力（発光強度）を変化させることなく、赤色および青色に関する透過率が補償されるよう各画素部における透過光量の調整が行われても良い。但し、各色のＬＥＤの発光効率を考慮して、フィールドの長さや光源の点灯期間の調整が行われる必要がある。また、フィールドの長さは色割れに影響するという点も考慮する必要がある。
【０１０６】
ここで、色調補正方法についてまとめる。色調補正方法としては、次の３つの方法が考えられる。なお、以下の３つの方法を適宜組み合わせても良い。第１の色調補正方法は、各光源の出力（発光強度）を変更することにより色調を補正（調整）するという方法である。この方法においては、例えば、上述したように赤色光源および青色光源の光量が緑色光源の光量の２倍とされる。第２の色調補正方法は、フィールドの長さを変更することにより色調を補正（調整）するという方法である。本実施形態のように１フレーム期間が２つのフィールド（第１フィールドＦｉ１および第２フィールドＦｉ２）によって構成されている場合、第１フィールドＦｉ１の長さのみを調整しても良いし、第２フィールドＦｉ２の長さのみを調整しても良いし、第１フィールドＦｉ１および第２フィールドＦｉ２の双方の長さを調整しても良い。第３の色調補正方法は、フィールド内で光源が点灯している期間（光源点灯期間）の長さを調整することにより色調を補正（調整）するという方法である。本実施形態のように１フレーム期間が２つのフィールド（第１フィールドＦｉ１および第２フィールドＦｉ２）によって構成されている場合、第１フィールドＦｉ１における光源点灯期間の長さのみを調整しても良いし、第２フィールドＦｉ２における光源点灯期間の長さのみを調整しても良いし、第１フィールドＦｉ１および第２フィールドＦｉ２の双方における光源点灯期間の長さを調整しても良い。
【０１０７】
＜１．６  効果＞
図１３を参照しつつ、本実施形態における効果について説明する。本実施形態によれば、表示部４０内の画素部４は、黄色カラーフィルタが設けられた第１の画素部ＰＩＸ１と、シアン色カラーフィルタが設けられた第２の画素部ＰＩＸ２とによって構成されている。このような構成において、１フレーム期間は、緑色光源のみが点灯状態となる第１フィールドＦｉ１と、赤色光源および青色光源が点灯状態となる第２フィールドＦｉ２とに分割されている。これにより、第１フィールドＦｉ１には、第１の画素部ＰＩＸ１および第２の画素部ＰＩＸ２の双方で緑色が表示され、第２フィールドＦｉ２には、第１の画素部ＰＩＸ１で赤色が表示されるとともに第２の画素部ＰＩＸ２で青色が表示される。このようにして、カラー画像が表示される。ところで、カラーフィルタ方式によれば、１画素は３つのサブ画素によって構成されているので、各色の光源の光利用効率は約３３％であった。これに対して、本実施形態によれば、緑色光源の光利用効率は約１００％となり、赤色光源および青色光源の光利用効率は約５０％となる。このように光利用効率が高められるので、消費電力が低減する。特に、本実施形態においては、発光効率の低い緑色光源（緑色ＬＥＤ）の光利用効率が顕著に高められるので、消費電力低減の効果が大きく得られる。
【０１０８】
また、本実施形態においては、緑色については全ての画素部で表示され、赤色および青色についてはいずれも全体の２分の１の画素部でのみ表示される。緑色は、人にとって明るく感じやすい色である。人は、明るい色の変化に敏感で、明るい色で輪郭を認識する。本実施形態においては、全ての画素部で緑色の光が透過するので、充分な精細度が得られる。また、赤色や青色は、人にとって明るさを感じにくい色である。従って、赤色や青色は、人にとって主に色の知覚に使用される。このようなことから、赤色および青色が全体の２分の１の画素部でしか表示されなくても精細度の点で問題は生じない。これにより、任意の解像度を実現する際に、カラーフィルタ方式の表示装置と比べて画素数（サブ画素数）を３分の１に減少させることが可能となる。換言すれば、従来と同じ大きさのパネルを用いた場合、従来よりも高精細な表示が可能となる。例えば、従来の「２５６０×４３２０」の解像度を有するパネルを用いて「７６８０×４３２０」の解像度（８Ｋと呼ばれる解像度）の表示が可能となり、従来の「１２８０×２１６０」の解像度を有するパネルを用いて「３８４０×２１６０」の解像度（４Ｋと呼ばれる解像度）の表示が可能となる。また、このような高精細化が１画素を３つのサブ画素に分割することなく行われるので、従来よりもパネル透過率が高くなる。従って、従来よりも消費電力が低減する。
【０１０９】
ところで、本実施形態においては、赤色および青色についてはいずれも全体の２分の１の画素部でのみ表示されるが、赤色および青色の出力画素値はローパスフィルタ１１２を用いることによって周囲の画素部の入力画素値を考慮して求められる。このため、第１の画素部ＰＩＸ１においても第２の画素部ＰＩＸ２においても、実質的に１画素分の情報（赤色，緑色，および青色の３色分の情報）の表示が行われる。これにより、エイリアシングの発生が抑制される。
【０１１０】
さらに、本実施形態によれば、彩度の高い緑色の表示が行われる際に、緑色の光に赤色および青色の光が混ざらない。また、彩度の高い赤色や青色の表示が行われる際に、赤色や青色の光に緑色の光が混ざらない。以上より、従来よりも広色域化を実現することが可能となる。特に、本実施形態においては、緑色の色域拡大に大きな効果が得られる。
【０１１１】
さらにまた、本実施形態によれば、従来のフィールドシーケンシャル方式と比べて１フレーム期間を構成するフィールド数が少なくなる。このため、フィールドの長さを従来と同じ長さにすれば、従来よりも高フレームレートが実現される。また、フレームレートを従来と同じにした場合には、充電不足に起因する表示品位の低下が防止される。
【０１１２】
以上のように、消費電力を増大させることなく高精細化・広色域化を実現することのできる表示装置を提供することが可能となる。
【０１１３】
＜１．７  変形例＞
＜１．７．１  カラーフィルタについて＞
上記第１の実施形態においては、カラーフィルタとして黄色カラーフィルタとシアン色カラーフィルタとが用いられていたが、本発明はこれに限定されない。そこで、以下、カラーフィルタとして黄色カラーフィルタとマゼンダ色カラーフィルタとが用いられた構成を第１の変形例として説明し、カラーフィルタとしてシアン色カラーフィルタとマゼンダ色カラーフィルタとが用いられた構成を第２の変形例として説明する。
【０１１４】
＜１．７．１．１  第１の変形例＞
図１４は、本変形例における画素部４について説明するための模式図である。本変形例においては、表示部４０に設けられている複数の画素部４は、黄色カラーフィルタが設けられた第１の画素部ＰＩＸ１と、マゼンダ色カラーフィルタが設けられた第２の画素部ＰＩＸ２とによって構成されている。黄色カラーフィルタは、図４に示すように、赤色の波長領域の光および緑色の波長領域の光を透過し、青色の波長領域の光を遮断する。従って、第１の画素部ＰＩＸ１では、画素容量４６への駆動用映像信号の書き込み状態に応じて、赤色の光および緑色の光の透過量が制御される。マゼンダ色カラーフィルタは、図１５に示すように、赤色の波長領域の光および青色の波長領域の光を透過し、緑色の波長領域の光を遮断する。従って、第２の画素部ＰＩＸ２では、画素容量４６への駆動用映像信号の書き込み状態に応じて、赤色の光および青色の光の透過量が制御される。以上のような第１の画素部ＰＩＸ１および第２の画素部ＰＩＸ２が、図１４に示すように、表示部４０内において、ゲートバスラインＧＬの伸びる方向に交互に配置され、かつ、ソースバスラインＳＬの伸びる方向に交互に配置されている。
【０１１５】
なお、本変形例においては、赤色によって第１原色が実現され、緑色によって第２原色が実現され、青色によって第３原色が実現されている。また、赤色光源によって第１タイプ発光体が実現され、緑色光源および青色光源によって第２タイプ発光体が実現されている。
【０１１６】
次に、図１６を参照しつつ、本変形例における各フィールドの詳細について説明する。なお、１フレーム期間は、上記第１の実施形態と同様、第１フィールドＦｉ１と第２フィールドＦｉ２とによって構成される。第１フィールドＦｉ１には、赤色光源のみが点灯状態（オン）となり、緑色光源および青色光源は消灯状態（オフ）となる。この第１フィールドＦｉ１には、入力画像信号ＤＩＮの赤色成分に基づくデータが駆動用映像信号として第１の画素部ＰＩＸ１および第２の画素部ＰＩＸ２に与えられる。第２フィールドＦｉ２には、緑色光源および青色光源が点灯状態（オン）となり、赤色光源は消灯状態（オフ）となる。この第２フィールドＦｉ２には、入力画像信号ＤＩＮの緑色成分に基づくデータが駆動用映像信号として第１の画素部ＰＩＸ１に与えられるとともに、入力画像信号ＤＩＮの青色成分に基づくデータが駆動用映像信号として第２の画素部ＰＩＸ２に与えられる。以上より、本変形例においては、図１７に示すように、第１フィールドＦｉ１には、第１の画素部ＰＩＸ１および第２の画素部ＰＩＸ２の双方で赤色が表示され、第２フィールドＦｉ２には、第１の画素部ＰＩＸ１で緑色が表示されるとともに第２の画素部ＰＩＸ２で青色が表示される。
【０１１７】
以上のように、赤色の波長領域の光と緑色の波長領域の光とを透過する黄色カラーフィルタが設けられた第１の画素部ＰＩＸ１および赤色の波長領域の光と青色の波長領域の光とを透過するマゼンダ色カラーフィルタが設けられた第２の画素部ＰＩＸ２によって表示部４０内の複数の画素部４が構成されている場合にも、本発明を適用することができる。
【０１１８】
＜１．７．１．２  第２の変形例＞
図１８は、本変形例における画素部４について説明するための模式図である。本変形例においては、表示部４０に設けられている複数の画素部４は、シアン色カラーフィルタが設けられた第１の画素部ＰＩＸ１と、マゼンダ色カラーフィルタが設けられた第２の画素部ＰＩＸ２とによって構成されている。シアン色カラーフィルタは、図５に示すように、緑色の波長領域の光および青色の波長領域の光を透過し、赤色の波長領域の光を遮断する。従って、第１の画素部ＰＩＸ１では、画素容量４６への駆動用映像信号の書き込み状態に応じて、緑色の光および青色の光の透過量が制御される。マゼンダ色カラーフィルタは、図１５に示すように、赤色の波長領域の光および青色の波長領域の光を透過し、緑色の波長領域の光を遮断する。従って、第２の画素部ＰＩＸ２では、画素容量４６への駆動用映像信号の書き込み状態に応じて、赤色の光および青色の光の透過量が制御される。以上のような第１の画素部ＰＩＸ１および第２の画素部ＰＩＸ２が、図１８に示すように、表示部４０内において、ゲートバスラインＧＬの伸びる方向に交互に配置され、かつ、ソースバスラインＳＬの伸びる方向に交互に配置されている。
【０１１９】
なお、本変形例においては、青色によって第１原色が実現され、緑色によって第２原色が実現され、赤色によって第３原色が実現されている。また、青色光源によって第１タイプ発光体が実現され、緑色光源および赤色光源によって第２タイプ発光体が実現されている。
【０１２０】
次に、図１９を参照しつつ、本変形例における各フィールドの詳細について説明する。なお、１フレーム期間は、上記第１の実施形態と同様、第１フィールドＦｉ１と第２フィールドＦｉ２とによって構成される。第１フィールドＦｉ１には、青色光源のみが点灯状態（オン）となり、赤色光源および緑色光源は消灯状態（オフ）となる。この第１フィールドＦｉ１には、入力画像信号ＤＩＮの青色成分に基づくデータが駆動用映像信号として第１の画素部ＰＩＸ１および第２の画素部ＰＩＸ２に与えられる。第２フィールドＦｉ２には、赤色光源および緑色光源が点灯状態（オン）となり、青色光源は消灯状態（オフ）となる。この第２フィールドＦｉ２には、入力画像信号ＤＩＮの緑色成分に基づくデータが駆動用映像信号として第１の画素部ＰＩＸ１に与えられるとともに、入力画像信号ＤＩＮの赤色成分に基づくデータが駆動用映像信号として第２の画素部ＰＩＸ２に与えられる。以上より、本変形例においては、図２０に示すように、第１フィールドＦｉ１には、第１の画素部ＰＩＸ１および第２の画素部ＰＩＸ２の双方で青色が表示され、第２フィールドＦｉ２には、第１の画素部ＰＩＸ１で緑色が表示されるとともに第２の画素部ＰＩＸ２で赤色が表示される。
【０１２１】
以上のように、緑色の波長領域の光と青色の波長領域の光とを透過するシアン色カラーフィルタが設けられた第１の画素部ＰＩＸ１および赤色の波長領域の光と青色の波長領域の光とを透過するマゼンダ色カラーフィルタが設けられた第２の画素部ＰＩＸ２によって表示部４０内の複数の画素部４が構成されている場合にも、本発明を適用することができる。
【０１２２】
＜１．７．２  光源について＞
＜１．７．２．１  上記第１の実施形態に関する内容＞
上記第１の実施形態においては、バックライト５００は赤色光源としての赤色ＬＥＤ，緑色光源としての緑色ＬＥＤ，および青色光源としての青色ＬＥＤによって構成されていたが、本発明はこれに限定されない。例えば、マゼンダ色光源（マゼンダ色発光体）と緑色光源（緑色発光体）とによってバックライト５００が構成されていても良い。この場合、マゼンダ色光源については、青色ＬＥＤと、当該青色ＬＥＤから発せられる光によって励起されて発光する赤色蛍光体（赤色発光体）とによって実現することができる。また、マゼンダ色光源については、青色ＬＥＤと、当該青色ＬＥＤから発せられる光の一部を赤色のスペクトルに変換する量子ドット（赤色発光体）とによって実現することもできる。このように、ＬＥＤと蛍光体との組み合わせあるいはＬＥＤと量子ドットとの組み合わせからなる光源（発光体）を用いることによって、発光効率を高めて消費電力を低減することが可能となる。すなわち、ＬＥＤと蛍光体や量子ドットなどの波長変換物質（波長変換素子）との組み合わせからなる光源を用いることによって、消費電力が低減される。また、特に量子ドットを赤色発光体として採用した場合には、赤色の光の波長のピークが顕著に鋭くなり、赤色の色域が拡大するという効果が得られる。また、各色のＬＥＤ（発光ダイオード）に代えてレーザーダイオードを用いることもできる。
【０１２３】
ところで、ＬＥＤと波長変換物質との組み合わせからなる光源を用いた場合、光源（バックライト）の構成（構造）によっては、上述した第１フィールドＦｉ１（表示部４０に緑色光のみが照射されるべきフィールド）に緑色光に加えて赤色光が表示部４０に照射されることがある。これについて、以下に説明する。
【０１２４】
ここでは、波長変換物質として量子ドットを採用し、図２１に示すように、緑色ＬＥＤ５２（Ｇ）によって緑色光源５１（Ｇ）を構成し、かつ、青色ＬＥＤ５２（Ｂ）と当該青色ＬＥＤ５２（Ｂ）から発せられる光の一部を赤色のスペクトルに変換する量子ドット５３（Ｒ）とによってマゼンダ色光源５１（Ｍ）を構成するものと仮定する。この場合において、図２２に示すように全てのＬＥＤを覆うようなシート状の量子ドット（いわゆる「ＱＤシート」）５３（Ｒ）が用いられると、当該量子ドット５３（Ｒ）は、青色ＬＥＤ５２（Ｂ）から発せられる光の一部を赤色の光に変換するだけでなく、緑色ＬＥＤ５２（Ｇ）から発せられる光の一部も赤色の光に変換する。このため、上述した第１フィールドＦｉ１には、緑色ＬＥＤ５２（Ｇ）が点灯状態となることによって緑色光および赤色光が表示部４０に照射される（図２３参照）。その結果、第１の画素部ＰＩＸ１および第２の画素部ＰＩＸ２の双方で緑色が表示されるべきであるにもかかわらず、第１の画素部ＰＩＸ１では黄色が表示されてしまう。従って、所望の表示が行われない。なお、上述した第２フィールドＦｉ２には、青色ＬＥＤ５２（Ｂ）が点灯状態となることによって青色光および赤色光が表示部４０に照射される（図２４参照）。これにより、第１の画素部ＰＩＸ１では赤色が表示され、第２の画素部ＰＩＸ２では青色が表示される。
【０１２５】
以上のように、上述の例では第１フィールドＦｉ１に全ての画素部で緑色の表示が行われるべきであるが、そのような表示が行われない。このように、ＬＥＤと波長変換物質との組み合わせからなる光源を用いた場合、光源（バックライト）の構成（構造）によっては、任意のフィールドにおいて全ての画素部に同じ原色を表示させることができない。そこで、本変形例においては、光源に関し、模式的には図２５に示すように、青色ＬＥＤ５２（Ｂ）から発せられる光のみが量子ドット５３（Ｒ）などの波長変換物質を通過するような構造が採用される。これにより、上述した第１フィールドＦｉ１には、緑色ＬＥＤ５２（Ｇ）が点灯状態となることによって緑色光のみが表示部４０に照射される（図２６参照）。また、上述した第２フィールドＦｉ２には、青色ＬＥＤ５２（Ｂ）が点灯状態となることによって青色光および赤色光が表示部４０に照射される（図２７参照）。このようにして、上記第１の実施形態と同様の表示が実現される。以下、緑色光源５１（Ｇ）とマゼンダ色光源５１（Ｍ）とで構成されるバックライト５００の具体的な構造について説明する。
【０１２６】
＜１．７．２．１．１  第１の例＞
図２８は、バックライト５００の構造についての第１の例を示す模式図である。バックライト５００は、表示パネル４００の背面側に配置されている。バックライト５００は、緑色ＬＥＤ５２（Ｇ）と、青色ＬＥＤ５２（Ｂ）と、量子ドット５３（Ｒ）と、光源から発せられた光を表示パネル４００に向けて面状に出射させるための導光板５１０と、導光板５１０から表示パネル４００に向けて発せられた光を拡散させて均一にするための拡散板５２０とによって構成されている。この例では、緑色ＬＥＤ５２（Ｇ）によって第１の発光源が実現され、青色ＬＥＤ５２（Ｂ）によって第２の発光源が実現されている。なお、表示パネル４００に向けて照射される光の効率を高めるための光学シートが設けられることもある。
【０１２７】
導光板５１０は、その前面が表示パネル４００側に位置するように配置されている。表示パネル４００と導光板５１０との間に拡散板５２０が配置されている。緑色ＬＥＤ５２（Ｇ）は導光板５１０の側面側に配置され、青色ＬＥＤ５２（Ｂ）は導光板５１０の背面側に配置されている。そして、導光板５１０と青色ＬＥＤ５２（Ｂ）との間に量子ドット５３（Ｒ）が配置されている。
【０１２８】
バックライト５００が以上のような構造を有していることにより、緑色ＬＥＤ５２（Ｇ）から発せられた光は量子ドット５３（Ｒ）には与えられず、量子ドット５３（Ｒ）には青色ＬＥＤ５２（Ｂ）から発せられた光のみが与えられる。これにより、緑色ＬＥＤ５２（Ｇ）が点灯状態となる第１フィールドＦｉ１には緑色光のみが表示部４０に照射され、青色ＬＥＤ５２（Ｂ）が点灯状態となる第２フィールドＦｉ２には青色光および赤色光が表示部４０に照射される。
【０１２９】
なお、第１の例では、導光板５１０の側面側に緑色ＬＥＤ５２（Ｇ）が配置され、導光板５１０の背面側に青色ＬＥＤ５２（Ｂ）が配置されているが、図２９に示すように、導光板５１０の側面側に青色ＬＥＤ５２（Ｂ）を配置して、導光板５１０の背面側に緑色ＬＥＤ５２（Ｇ）を配置して、導光板５１０と青色ＬＥＤ５２（Ｂ）との間に量子ドット５３（Ｒ）を配置しても良い。
【０１３０】
＜１．７．２．１．２  第２の例＞
図３０は、バックライト５００の構造についての第２の例を示す模式図である。バックライト５００は、表示パネル４００の背面側に配置されている。バックライト５００は、緑色ＬＥＤ５２（Ｇ）と、青色ＬＥＤ５２（Ｂ）と、量子ドット５３（Ｒ）と、光源から発せられた光を表示パネル４００に向けて面状に出射させるための第１の導光板５１０（１）および第２の導光板５１０（２）と、第１の導光板５１０（１）および第２の導光板５１０（２）から表示パネル４００に向けて発せられた光を拡散させて均一にするための拡散板５２０とによって構成されている。第１の導光板５１０（１）は青色ＬＥＤ５２（Ｂ）から発せられる光用の導光板であり、第２の導光板５１０（２）は緑色ＬＥＤ５２（Ｇ）から発せられる光用の導光板である。なお、表示パネル４００に向けて照射される光の効率を高めるための光学シートが設けられることもある。
【０１３１】
第１の導光板５１０（１）および第２の導光板５１０（２）は、それらの前面が表示パネル４００側に位置するように配置されている。表示パネル４００と第２の導光板５１０（２）との間に拡散板５２０が配置されている。緑色ＬＥＤ５２（Ｇ）は第２の導光板５１０（２）の側面側に配置され、青色ＬＥＤ５２（Ｂ）は第１の導光板５１０（１）の側面側に配置されている。但し、図３０から把握されるように、第１の導光板５１０（１）および第２の導光板５１０（２）を基準にして青色ＬＥＤ５２（Ｂ）と緑色ＬＥＤ５２（Ｇ）とは互いに異なる側面側に配置されている。そして、第１の導光板５１０（１）と青色ＬＥＤ５２（Ｂ）との間に量子ドット５３（Ｒ）が配置されている。
【０１３２】
バックライト５００が以上のような構造を有していることにより、上記第１の例と同様、緑色ＬＥＤ５２（Ｇ）が点灯状態となる第１フィールドＦｉ１には緑色光のみが表示部４０に照射され、青色ＬＥＤ５２（Ｂ）が点灯状態となる第２フィールドＦｉ２には青色光および赤色光が表示部４０に照射される。
【０１３３】
この第２の例によれば、光源はいわゆるエッジ型のもののみで構成されるので、バックライト５００の構造が簡単なものとなり、比較的容易に実現することが可能となる。また、導光板の背面側には光源が設けられないため、薄型化が可能となる。
【０１３４】
なお、上記の例では、青色ＬＥＤ５２（Ｂ）用の導光板と緑色ＬＥＤ５２（Ｇ）用の導光板とが別々に設けられているが、図３１に示すように１つの導光板５１０の一方の側面側に青色ＬＥＤ５２（Ｂ）を配置して他方の側面側に緑色ＬＥＤ５２（Ｇ）を配置した構造を採用することもできる。これにより、更なる薄型化を実現することが可能となる。
【０１３５】
＜１．７．２．１．３  第３の例＞
図３２は、バックライト５００の構造についての第３の例を示す模式図である。バックライト５００は、表示パネル４００の背面側に配置されている。バックライト５００は、緑色ＬＥＤ５２（Ｇ）と、青色ＬＥＤ５２（Ｂ）と、量子ドット５３（Ｒ）と、緑色ＬＥＤ５２（Ｇ）および青色ＬＥＤ５２（Ｂ）から表示パネル４００に向けて発せられた光を拡散させて均一にするための拡散板５２０とによって構成されている。なお、表示パネル４００に向けて照射される光の効率を高めるための光学シートが設けられることもある。
【０１３６】
拡散板５２０は、その前面が表示パネル４００側に位置するように配置されている。緑色ＬＥＤ５２（Ｇ）および青色ＬＥＤ５２（Ｂ）は拡散板５２０の背面側に配置されている。量子ドット５３（Ｒ）は、拡散板５２０と青色ＬＥＤ５２（Ｂ）との間に配置されている。詳しくは、量子ドット５３（Ｒ）は、緑色ＬＥＤ５２（Ｇ）から発せられる光が量子ドット５３（Ｒ）を通過することがないように、拡散板５２０と青色ＬＥＤ５２（Ｂ）との間の領域のうちの青色ＬＥＤ５２（Ｂ）の近傍の領域に配置されている。
【０１３７】
バックライト５００が以上のような構造を有していることにより、上記第１の例と同様、緑色ＬＥＤ５２（Ｇ）が点灯状態となる第１フィールドＦｉ１には緑色光のみが表示部４０に照射され、青色ＬＥＤ５２（Ｂ）が点灯状態となる第２フィールドＦｉ２には青色光および赤色光が表示部４０に照射される。
【０１３８】
この第３の例によれば、光源はいわゆる直下型のもののみで構成されるので、バックライト５００の構造が簡単なものとなり、比較的容易に実現することが可能となる。また、画面を論理的に複数のエリアに分割してエリア毎に光源の輝度を制御するローカルディミング駆動を行うことが可能となるので、更なる消費電力低減の効果が得られる。
【０１３９】
ところで、緑色ＬＥＤ５２（Ｇ）から発せられる光が量子ドット５３（Ｒ）を通過することがないよう、光源の近傍は、より詳細には、例えば図３３や図３４に示す構造を有している。図３３に示す構造に関しては、緑色ＬＥＤ５２（Ｇ）と青色ＬＥＤ５２（Ｂ）との間に遮光壁５４が設けられ、遮光壁５４内で青色ＬＥＤ５２（Ｂ）が量子ドット５３（Ｒ）によって覆われている。図３４に示す構造に関しては、緑色ＬＥＤ５２（Ｇ）と青色ＬＥＤ５２（Ｂ）との間に遮光壁５４が設けられ、量子ドット５３（Ｒ）が青色ＬＥＤ５２（Ｂ）の表面に塗布されている。いずれの構造においても、遮光壁５４が設けられているために、緑色ＬＥＤ５２（Ｇ）から発せられる光が量子ドット５３（Ｒ）を通過することはない。従って、緑色ＬＥＤ５２（Ｇ）のみが点灯状態となったときには、緑色光のみが表示部４０に照射される。なお、波長変換物質として量子ドットに代えて蛍光体が用いられている場合にも同様の構造（図３３や図３４に示す構造）を採用することができる。
【０１４０】
＜１．７．２．１．４  第４の例＞
図３５および図３６は、バックライト５００の構造についての第４の例を示す模式図である。なお、図３５は表示装置を側面から見た図であり、図３６は表示装置を平面視したときの導光板および光源の配置状態を示す図である。バックライト５００は、表示パネル４００の背面側に配置されている。バックライト５００は、緑色ＬＥＤ５２（Ｇ）と、青色ＬＥＤ５２（Ｂ）と、量子ドット５３（Ｒ）と、光源から発せられた光を表示パネル４００に向けて面状に出射させるための導光板５１０と、導光板５１０から表示パネル４００に向けて発せられた光を拡散させて均一にするための拡散板５２０とによって構成されている。図３５で符号５９で示す部分については、図３６に示すように、導光板５１０の側面に沿って緑色ＬＥＤ５２（Ｇ）と青色ＬＥＤ５２（Ｂ）とが交互に配置されている。なお、表示パネル４００に向けて照射される光の効率を高めるための光学シートが設けられることもある。
【０１４１】
導光板５１０は、その前面が表示パネル４００側に位置するように配置されている。表示パネル４００と導光板５１０との間に拡散板５２０が配置されている。緑色ＬＥＤ５２（Ｇ）および青色ＬＥＤ５２（Ｂ）は導光板５１０の側面側に配置されている。この第４の例では、上記第２の例（図３０，図３１参照）とは異なり、導光板５１０を基準にして青色ＬＥＤ５２（Ｂ）と緑色ＬＥＤ５２（Ｇ）とは同じ側面側に配置されている。そして、導光板５１０と青色ＬＥＤ５２（Ｂ）との間に量子ドット５３（Ｒ）が配置されている。詳しくは、量子ドット５３（Ｒ）は、緑色ＬＥＤ５２（Ｇ）から発せられる光が量子ドット５３（Ｒ）を通過することがないように、導光板５１０と青色ＬＥＤ５２（Ｂ）との間の領域のうちの青色ＬＥＤ５２（Ｂ）の近傍の領域に配置されている。なお、光源の近傍については、より詳細には、緑色ＬＥＤ５２（Ｇ）から発せられる光が量子ドット５３（Ｒ）を通過することがないように、例えば、上記第３の例と同様に、緑色ＬＥＤ５２（Ｇ）と青色ＬＥＤ５２（Ｂ）との間に遮光壁が設けられる。
【０１４２】
バックライト５００が以上のような構造を有していることにより、上記第１の例と同様、緑色ＬＥＤ５２（Ｇ）が点灯状態となる第１フィールドＦｉ１には緑色光のみが表示部４０に照射され、青色ＬＥＤ５２（Ｂ）が点灯状態となる第２フィールドＦｉ２には青色光および赤色光が表示部４０に照射される。
【０１４３】
この第４の例によれば、上記第２の例と同様、導光板５１０の背面側には光源が設けられないため、薄型化が可能となる。また、図３６に示したように緑色ＬＥＤ５２（Ｇ）と青色ＬＥＤ５２（Ｂ）とが平面視で交互に配置されていることから、より好適な輝度分布を得ることが可能となる。なお、図３６に示した例では導光板５１０の一辺から光源光が入射される構成となっているが、例えば導光板５１０の二辺あるいは四辺から光源光が入射される構成を採用することもできる。
【０１４４】
＜１．７．２．２  上記第１の変形例に関する内容＞
上記第１の変形例に関しては、シアン色光源（シアン色発光体）と赤色光源（赤色発光体）とによってバックライト５００が構成されていても良い。この場合、シアン色光源については、青色ＬＥＤと、当該青色ＬＥＤから発せられる光によって励起されて発光する緑色蛍光体（緑色発光体）とによって実現することができる。また、シアン色光源については、青色ＬＥＤと、当該青色ＬＥＤから発せられる光の一部を緑色のスペクトルに変換する量子ドット（緑色発光体）とによって実現することもできる。あるいは、シアン色光源については、シアン色を中心としたブロードな発光特性を有し、緑色の波長領域の光および青色の波長領域の光を含む光を発光するＬＥＤ（緑色の波長領域および青色の波長領域の双方を発光領域に含む発光体）であってもよい。
【０１４５】
なお、青色ＬＥＤと波長変換物質との組み合わせからなる光源をシアン色光源として用いる場合、バックライト５００の構造を、青色ＬＥＤから発せられる光のみが波長変換物質（ここでは、青色ＬＥＤから発せられる光の波長を緑色の光の波長に変換する波長変換物質）を通過するような構造にする必要がある。具体的には、図２８〜図３２に示した構造と同様の構造を採用することができる。
【０１４６】
＜１．７．２．３  上記第２の変形例に関する内容＞
上記第２の変形例に関しては、黄色光源（黄色発光体）と青色光源（青色発光体）とによってバックライト５００が構成されていても良い。この場合、黄色光源については、緑色ＬＥＤと、当該緑色ＬＥＤから発せられる光によって励起されて発光する赤色蛍光体（赤色発光体）とによって実現することができる。また、黄色光源については、緑色ＬＥＤと、当該緑色ＬＥＤから発せられる光の一部を赤色のスペクトルに変換する量子ドット（赤色発光体）とによって実現することもできる。あるいは、黄色光源については、黄色を中心としたブロードな発光特性を有し、赤色の波長領域の光および緑色の波長領域の光を含む光を発光するＬＥＤ（赤色の波長領域および緑色の波長領域の双方を発光領域に含む発光体）であってもよい。
【０１４７】
なお、緑色ＬＥＤと波長変換物質との組み合わせからなる光源を黄色光源として用いる場合、バックライト５００の構造を、緑色ＬＥＤから発せられる光のみが波長変換物質（ここでは、緑色ＬＥＤから発せられる光の波長を赤色の光の波長に変換する波長変換物質）を通過するような構造にする必要がある。具体的には、図２８〜図３２に示した構造と同様の構造を採用することができる。
【０１４８】
＜２．第２の実施形態＞
＜２．１  概要＞
上記第１の実施形態においては、第１の画素部ＰＩＸ１では緑色と赤色とが交互に表示され、第２の画素部ＰＩＸ２では緑色と青色とが交互に表示される。このように原色が交互に表示される場合、色割れ（カラーブレーク）が生じやすいことが知られている。そこで、本実施形態においては、色割れの発生を抑制するために、全ての色の光源（赤色光源，緑色光源，および青色光源）を点灯状態にするフィールドが各フレームに設けられている。
【０１４９】
＜２．２  構成＞
表示装置の構成については、上記第１の実施形態と同様であるので、説明を省略する（図１および図２を参照）。また、画素の構成についても、上記第１の実施形態と同様である（図３参照）。すなわち、表示部４０に設けられている複数の画素部４は、黄色カラーフィルタが設けられた第１の画素部ＰＩＸ１と、シアン色カラーフィルタが設けられた第２の画素部ＰＩＸ２とによって構成されている。
【０１５０】
図３７は、本実施形態におけるフレームの構成について説明するための図である。本実施形態においては、１フレーム期間は、第１フィールドＦｉ１と第２フィールドＦｉ２と第３フィールドＦｉ３とによって構成されている。ここで、図３８を参照しつつ、各フィールドの詳細について説明する。第１フィールドＦｉ１には、緑色光源のみが点灯状態（オン）となり、赤色光源および青色光源は消灯状態（オフ）となる。この第１フィールドＦｉ１には、入力画像信号ＤＩＮに基づき後述する出力画素値算出処理によって求められる緑色の出力画素値のデータが駆動用映像信号として第１の画素部ＰＩＸ１および第２の画素部ＰＩＸ２に与えられる。第２フィールドＦｉ２には、赤色光源および青色光源が点灯状態（オン）となり、緑色光源は消灯状態（オフ）となる。この第２フィールドＦｉ２には、入力画像信号ＤＩＮに基づき後述する出力画素値算出処理によって求められる赤色の出力画素値のデータが駆動用映像信号として第１の画素部ＰＩＸ１に与えられるとともに、入力画像信号ＤＩＮに基づき後述する出力画素値算出処理によって求められる青色の出力画素値のデータが駆動用映像信号として第２の画素部ＰＩＸ２に与えられる。第３フィールドＦｉ３には、赤色光源，緑色光源，および青色光源が点灯状態（オン）となる。この第３フィールドＦｉ３には、入力画像信号ＤＩＮに基づき後述する出力画素値算出処理によって求められる黄色の出力画素値のデータが駆動用映像信号として第１の画素部ＰＩＸ１に与えられるとともに、入力画像信号ＤＩＮに基づき後述する出力画素値算出処理によって求められるシアン色の出力画素値のデータが駆動用映像信号として第２の画素部ＰＩＸ２に与えられる。
【０１５１】
以上より、本実施形態においては、図３９に示すように、第１フィールドＦｉ１には、第１の画素部ＰＩＸ１および第２の画素部ＰＩＸ２の双方で緑色が表示され、第２フィールドＦｉ２には、第１の画素部ＰＩＸ１で赤色が表示されるとともに第２の画素部ＰＩＸ２で青色が表示され、第３フィールドＦｉ３には、第１の画素部ＰＩＸ１で黄色が表示されるとともに第２の画素部ＰＩＸ２でシアン色が表示される。なお、第１フィールドＦｉ１によって第１タイプフィールドが実現され、第２フィールドＦｉ２によって第２タイプフィールドが実現され、第３フィールドＦｉ３によって第３タイプフィールドが実現されている。
【０１５２】
＜２．３  映像処理部での変換処理＞
本実施形態においては、各フレームには、第１の画素部ＰＩＸ１で黄色を表示するとともに第２の画素部ＰＩＸ２でシアン色を表示する第３フィールドＦｉ３が設けられている。このため、上記第１の実施形態と同様の方法では各色についての出力画素値を求めることができない。そこで、本実施形態における各色についての出力画素値を算出する処理（以下、「出力画素値算出処理」という。）について以下に説明する。
【０１５３】
本実施形態においては、出力画素値算出処理は、第１ステップと第２ステップとからなる。第１ステップでは、入力画像信号ＤＩＮに基づく入力画素値から各色の色値を求める処理が行われる。なお、赤色，緑色，および青色についての色値をそれぞれＲｃｏｌ，Ｇｃｏｌ，およびＢｃｏｌと表す。第２ステップでは、第１ステップで求められた赤色，緑色，および青色についての色値から赤色，緑色，青色，黄色，およびシアン色についての出力画素値を求める処理が行われる。
【０１５４】
なお、本実施形態においては、映像処理部１１０内で第１ステップの処理を行う機能的要素によって第１の計算部が実現され、映像処理部１１０内で第２ステップの処理を行う機能的要素によって第２の計算部が実現されている。
【０１５５】
＜２．３．１  第１ステップ＞
＜２．３．１．１  緑色についての色値の算出＞
緑色については、全ての画素部のデータに関し、入力画素値がそのまま色値とされる。すなわち、任意の画素部に関し、次式（６）が成立する。
Ｇｃｏｌ＝Ｇｉｎ  ・・・（６）
【０１５６】
＜２．３．１．２  赤色および青色についての色値の算出＞
赤色および青色についての色値の算出の際には、上記第１の実施形態で出力画素値の算出の際に用いられたものと同様のローパスフィルタ１１２が用いられる。なお、以下においては、図９に示したローパスフィルタ１１２が用いられているものと仮定して説明する。また、ここでは、色値や出力画素値の算出対象の画素部を「着目画素部」と定義する。赤色についての着目画素部における色値Ｒｃｏｌは、上式（２）と同様の計算式によって算出される。青色についての着目画素部における色値Ｂｃｏｌは、上式（３）と同様の計算式によって算出される。
【０１５７】
＜２．３．２  第２ステップ＞
＜２．３．２．１  第１の画素部における出力画素値の算出＞
第１の画素部ＰＩＸ１では、第１フィールドＦｉ１には緑色の表示が行われ、第２フィールドＦｉ２には赤色の表示が行われ、第３フィールドＦｉ３には黄色の表示が行われる。従って、第１の画素部ＰＩＸ１に関しては、緑色についての出力画素値Ｇｏｕｔ，赤色についての出力画素値Ｒｏｕｔ，および黄色についての出力画素値Ｙｏｕｔが算出される。その際、着目画素部のデータに関し、緑色についての色値Ｇｃｏｌと赤色についての色値Ｒｃｏｌとの大小関係に応じて、以下のように３つの場合分けが行われる。
【０１５８】
＜２．３．２．１．１  「Ｇｃｏｌ＞Ｒｃｏｌ」のケース＞
黄色成分は赤色成分と緑色成分との合成成分であるので、黄色成分の大きさは、赤色成分の大きさを超えることはなく、かつ、緑色成分の大きさを超えることはない。ここで、このケースでは緑色成分よりも赤色成分の方が小さい。従って、このケースでは、黄色についての着目画素部における出力画素値Ｙｏｕｔは、赤色についての着目画素部における色値Ｒｃｏｌと同じ値とされる。すなわち、黄色についての着目画素部における出力画素値Ｙｏｕｔは次式（７）で算出される。
Ｙｏｕｔ＝Ｒｃｏｌ  ・・・（７）
【０１５９】
また、このケースでは、第１フィールドＦｉ１には、入力画像信号ＤＩＮに基づく緑色成分の大きさと第３フィールドＦｉ３に表示される黄色成分の大きさ（出力画素値Ｙｏｕｔの大きさ）との差分に相当する緑色成分が表示される必要がある。従って、緑色についての着目画素部における出力画素値Ｇｏｕｔは、次式（８）で算出される。
Ｇｏｕｔ＝Ｇｃｏｌ−Ｒｃｏｌ  ・・・（８）
なお、厳密には、表示パネル４００における入力値と出力値との関係を示すガンマ曲線を考慮して出力画素値を算出する必要がある。これについては、後述する式（１６），式（１８），および式（２６）も同様である。
【０１６０】
また、このケースでは、入力画像信号ＤＩＮに基づく赤色成分の大きさに等しい大きさの黄色成分が第３フィールドＦｉ３に表示されるので、第２フィールドＦｉ２には赤色成分の表示が行われる必要はない。すなわち、赤色についての着目画素部における出力画素値Ｒｏｕｔは次式（９）で算出される。
Ｒｏｕｔ＝０  ・・・（９）
【０１６１】
＜２．３．２．１．２  「Ｇｃｏｌ＝Ｒｃｏｌ」のケース＞
上述したように、黄色成分の大きさは、赤色成分の大きさを超えることはなく、かつ、緑色成分の大きさを超えることはない。ここで、このケースでは緑色成分の大きさと赤色成分の大きさとは等しい。従って、このケースでは、黄色についての着目画素部における出力画素値Ｙｏｕｔは、赤色についての着目画素部における色値Ｒｃｏｌおよび緑色についての着目画素部における色値Ｇｃｏｌと同じ値とされる。すなわち、黄色についての着目画素部における出力画素値Ｙｏｕｔは次式（１０）または次式（１１）で算出される。
Ｙｏｕｔ＝Ｒｃｏｌ  ・・・（１０）
Ｙｏｕｔ＝Ｇｃｏｌ  ・・・（１１）
【０１６２】
また、このケースでは、入力画像信号ＤＩＮに基づく赤色成分の大きさおよび入力画像信号ＤＩＮに基づく緑色成分の大きさに等しい大きさの黄色成分が第３フィールドＦｉ３に表示されるので、第１フィールドＦｉ１には緑色成分の表示が行われる必要はなく、第２フィールドＦｉ２には赤色成分の表示が行われる必要はない。すなわち、緑色についての着目画素部における出力画素値Ｇｏｕｔは次式（１２）で算出され、赤色についての着目画素部における出力画素値Ｒｏｕｔは次式（１３）で算出される。
Ｇｏｕｔ＝０  ・・・（１２）
Ｒｏｕｔ＝０  ・・・（１３）
【０１６３】
＜２．３．２．１．３  「Ｇｃｏｌ＜Ｒｃｏｌ」のケース＞
上述したように、黄色成分の大きさは、赤色成分の大きさを超えることはなく、かつ、緑色成分の大きさを超えることはない。ここで、このケースでは赤色成分よりも緑色成分の方が小さい。従って、このケースでは、黄色についての着目画素部における出力画素値Ｙｏｕｔは、緑色についての着目画素部における色値Ｇｃｏｌと同じ値とされる。すなわち、黄色についての着目画素部における出力画素値Ｙｏｕｔは次式（１４）で算出される。
Ｙｏｕｔ＝Ｇｃｏｌ  ・・・（１４）
【０１６４】
また、このケースでは、入力画像信号ＤＩＮに基づく緑色成分の大きさに等しい大きさの黄色成分が第３フィールドＦｉ３に表示されるので、第１フィールドＦｉ１には緑色成分の表示が行われる必要はない。すなわち、緑色についての着目画素部における出力画素値Ｇｏｕｔは次式（１５）で算出される。
Ｇｏｕｔ＝０  ・・・（１５）
【０１６５】
また、このケースでは、第２フィールドＦｉ２には、入力画像信号ＤＩＮに基づく赤色成分の大きさと第３フィールドＦｉ３に表示される黄色成分の大きさ（出力画素値Ｙｏｕｔの大きさ）との差分に相当する赤色成分が表示される必要がある。従って、赤色についての着目画素部における出力画素値Ｒｏｕｔは、次式（１６）で算出される。
Ｒｏｕｔ＝Ｒｃｏｌ−Ｇｃｏｌ  ・・・（１６）
【０１６６】
＜２．３．２．２  第２の画素部における出力画素値の算出＞
第２の画素部ＰＩＸ２における出力画素値についても、第１の画素部ＰＩＸ１における出力画素値と同様にして算出することができる。以下に、それぞれのケースについての各色の出力画素値の算出式のみを示す。
【０１６７】
＜２．３．２．２．１  「Ｇｃｏｌ＞Ｂｃｏｌ」のケース＞
シアン色についての着目画素部における出力画素値Ｃｏｕｔは次式（１７）で算出され、緑色についての着目画素部における出力画素値Ｇｏｕｔは次式（１８）で算出され、青色についての着目画素部における出力画素値Ｂｏｕｔは次式（１９）で算出される。
Ｃｏｕｔ＝Ｂｃｏｌ  ・・・（１７）
Ｇｏｕｔ＝Ｇｃｏｌ−Ｂｃｏｌ  ・・・（１８）
Ｂｏｕｔ＝０  ・・・（１９）
【０１６８】
＜２．３．２．２．２  「Ｇｃｏｌ＝Ｂｃｏｌ」のケース＞
シアン色についての着目画素部における出力画素値Ｃｏｕｔは次式（２０）または次式（２１）で算出され、緑色についての着目画素部における出力画素値Ｇｏｕｔは次式（２２）で算出され、青色についての着目画素部における出力画素値Ｂｏｕｔは次式（２３）で算出される。
Ｃｏｕｔ＝Ｇｃｏｌ  ・・・（２０）
Ｃｏｕｔ＝Ｂｃｏｌ  ・・・（２１）
Ｇｏｕｔ＝０  ・・・（２２）
Ｂｏｕｔ＝０  ・・・（２３）
【０１６９】
＜２．３．２．２．３  「Ｇｃｏｌ＜Ｂｃｏｌ」のケース＞
シアン色についての着目画素部における出力画素値Ｃｏｕｔは次式（２４）で算出され、緑色についての着目画素部における出力画素値Ｇｏｕｔは次式（２５）で算出され、青色についての着目画素部における出力画素値Ｂｏｕｔは次式（２６）で算出される。
Ｃｏｕｔ＝Ｇｃｏｌ  ・・・（２４）
Ｇｏｕｔ＝０  ・・・（２５）
Ｂｏｕｔ＝Ｂｃｏｌ−Ｇｃｏｌ  ・・・（２６）
【０１７０】
＜２．３．３  黄色成分およびシアン色成分の第３フィールドへの割り当てについて＞
本実施形態においては、色割れ抑制の効果がもっとも得られるよう、黄色についての出力画素値Ｙｏｕｔおよびシアン色についての出力画素値Ｃｏｕｔは、取り得る値のうちの最大値となるように算出されている。但し、本発明はこれに限定されず、消費電力低減の効果が得られるよう、黄色およびシアン色についての出力画素値と、赤色，緑色，および青色についての出力画素値とのバランスを考慮することが好ましい。
【０１７１】
＜２．４  透過率の補償について＞
上記第１の実施形態と同様、本実施形態においても、赤色および青色に関して透過率の補償が行われる必要がある。これに関し、本実施形態においても、上記第１の実施形態と同様、第２フィールドＦｉ２の長さを第１フィールドＦｉ１の長さの２倍にすること、あるいは、第２フィールドＦｉ２における光源の点灯期間の長さを第１フィールドＦｉ１における光源の点灯期間の長さの２倍にすることによって、第１フィールドＦｉ１〜第２フィールドＦｉ２における赤色および青色に関する透過率の補償を行うことができる。但し、白色を表示するフィールドである第３フィールドＦｉ３については、色毎にフィールドの長さを異ならせることはできない。そのため、第３フィールドＦｉ３においては、各色のＬＥＤからの出力（発光強度）と各色のＬＥＤの発光時間とを調整することによって、赤色および青色に関する透過率の補償が行われる必要がある。
【０１７２】
＜２．５  効果＞
本実施形態によれば、上記第１の実施形態と同様の効果が得られるのに加えて、以下の効果が得られる。本実施形態においては、全ての色の光源（赤色光源，緑色光源，および青色光源）が点灯状態となる第３フィールドＦｉ３が設けられている。第１の画素部ＰＩＸ１では、第１フィールドＦｉ１には緑色の表示が行われ、第２フィールドＦｉ２には赤色の表示が行われ、第３フィールドＦｉ３には緑色と赤色との混色である黄色の表示が行われる。第２の画素部ＰＩＸ２では、第１フィールドＦｉ１には緑色の表示が行われ、第２フィールドＦｉ２には青色の表示が行われ、第３フィールドＦｉ３には緑色と青色との混色であるシアン色の表示が行われる。このため、色割れの発生が抑制される。
【０１７３】
ところで、従来の一般的なフィールドシーケンシャル方式では、赤色フィールド，緑色フィールド，および青色フィールドに加えて、白色フィールドが設けられる。そして、１フレーム期間が４つのフィールドで構成され、例えば、第１フィールドで赤色の表示が行われ、第２フィールドで緑色の表示が行われ、第３フィールドで青色の表示が行われ、第４フィールドで白色の表示が行われる。この方式によれば、確かに色割れの発生は抑制されるが、黄色（Ｙ），マゼンダ色（Ｍ），およびシアン色（Ｃ）の表示に対しては色割れの発生は充分には抑制されない。なお、この方式で色割れが発生しない色をｘｙ色度図上で表すと、図４０で符号８１で示す部分の色となる。以上のような従来の一般的なフィールドシーケンシャル方式に対して、本実施形態におけるフィールドシーケンシャル方式によれば、第２フィールドＦｉ２にはマゼンダ色の表示が行われ、第３フィールドＦｉ３には第１の画素部ＰＩＸ１で黄色の表示が行われつつ第２の画素部ＰＩＸ２でシアン色の表示が行われる。このように、黄色（Ｙ）の表示，マゼンダ色（Ｍ）の表示，およびシアン色（Ｃ）の表示をそれぞれ特定のフィールドで行うことが可能となる。これにより、黄色（Ｙ），マゼンダ色（Ｍ），およびシアン色（Ｃ）の表示に対しても効果的に色割れの発生を抑制することができる。なお、この方式で色割れが発生しない色をｘｙ色度図上で表すと、図４１で符号８２で示す部分の色となる。図４０および図４１からも、本実施形態における方式によれば、従来よりも色割れが生じにくくなることが把握される。
【０１７４】
＜２．６  変形例＞
＜２．６．１  カラーフィルタについて＞
上記第２の実施形態においては、カラーフィルタとして黄色カラーフィルタとシアン色カラーフィルタとが用いられていたが、本発明はこれに限定されない。上記第１の実施形態の変形例と同様、黄色カラーフィルタとマゼンダ色カラーフィルタとが用いられた構成（第１の変形例）やシアン色カラーフィルタとマゼンダ色カラーフィルタとが用いられた構成（第２の変形例）を採用することもできる。
【０１７５】
＜２．６．１．１  第１の変形例＞
本変形例においては、図１４に示すように、表示部４０に設けられている複数の画素部４は、黄色カラーフィルタが設けられた第１の画素部ＰＩＸ１と、マゼンダ色カラーフィルタが設けられた第２の画素部ＰＩＸ２とによって構成される。図４２を参照しつつ、本変形例における各フィールドの詳細について説明する。なお、１フレーム期間は、上記第２の実施形態と同様、第１フィールドＦｉ１と第２フィールドＦｉ２と第３フィールドＦｉ３とによって構成される。
【０１７６】
第１フィールドＦｉ１には、赤色光源のみが点灯状態（オン）となり、緑色光源および青色光源は消灯状態（オフ）となる。この第１フィールドＦｉ１には、入力画像信号ＤＩＮに基づき出力画素値算出処理によって求められる赤色の出力画素値のデータが駆動用映像信号として第１の画素部ＰＩＸ１および第２の画素部ＰＩＸ２に与えられる。第２フィールドＦｉ２には、緑色光源および青色光源が点灯状態（オン）となり、赤色光源は消灯状態（オフ）となる。この第２フィールドＦｉ２には、入力画像信号ＤＩＮに基づき出力画素値算出処理によって求められる緑色の出力画素値のデータが駆動用映像信号として第１の画素部ＰＩＸ１に与えられるとともに、入力画像信号ＤＩＮに基づき出力画素値算出処理によって求められる青色の出力画素値のデータが駆動用映像信号として第２の画素部ＰＩＸ２に与えられる。第３フィールドＦｉ３には、赤色光源，緑色光源，および青色光源が点灯状態（オン）となる。この第３フィールドＦｉ３には、入力画像信号ＤＩＮに基づき出力画素値算出処理によって求められる黄色の出力画素値のデータが駆動用映像信号として第１の画素部ＰＩＸ１に与えられるとともに、入力画像信号ＤＩＮに基づき出力画素値算出処理によって求められるマゼンダ色の出力画素値のデータが駆動用映像信号として第２の画素部ＰＩＸ２に与えられる。
【０１７７】
以上より、本変形例においては、図４３に示すように、第１フィールドＦｉ１には、第１の画素部ＰＩＸ１および第２の画素部ＰＩＸ２の双方で赤色が表示され、第２フィールドＦｉ２には、第１の画素部ＰＩＸ１で緑色が表示されるとともに第２の画素部ＰＩＸ２で青色が表示され、第３フィールドＦｉ３には、第１の画素部ＰＩＸ１で黄色が表示されるとともに第２の画素部ＰＩＸ２でマゼンダ色が表示される。
【０１７８】
以上のように、赤色の光と緑色の光とを透過する黄色カラーフィルタが設けられた第１の画素部ＰＩＸ１および赤色の光と青色の光とを透過するマゼンダ色カラーフィルタが設けられた第２の画素部ＰＩＸ２によって表示部４０内の複数の画素部４が構成されている場合にも、全ての色の光源（赤色光源，緑色光源，および青色光源）を点灯状態にして混色表示を行うフィールドを各フレームに設けることによって色割れの発生を抑制することができる。
【０１７９】
＜２．６．１．２  第２の変形例＞
本変形例においては、図１８に示すように、表示部４０に設けられている複数の画素部４は、シアン色カラーフィルタが設けられた第１の画素部ＰＩＸ１と、マゼンダ色カラーフィルタが設けられた第２の画素部ＰＩＸ２とによって構成される。図４４を参照しつつ、本変形例における各フィールドの詳細について説明する。なお、１フレーム期間は、上記第２の実施形態と同様、第１フィールドＦｉ１と第２フィールドＦｉ２と第３フィールドＦｉ３とによって構成される。
【０１８０】
第１フィールドＦｉ１には、青色光源のみが点灯状態（オン）となり、赤色光源および緑色光源は消灯状態（オフ）となる。この第１フィールドＦｉ１には、入力画像信号ＤＩＮに基づき出力画素値算出処理によって求められる青色の出力画素値のデータが駆動用映像信号として第１の画素部ＰＩＸ１および第２の画素部ＰＩＸ２に与えられる。第２フィールドＦｉ２には、赤色光源および緑色光源が点灯状態（オン）となり、青色光源は消灯状態（オフ）となる。この第２フィールドＦｉ２には、入力画像信号ＤＩＮに基づき出力画素値算出処理によって求められる緑色の出力画素値のデータが駆動用映像信号として第１の画素部ＰＩＸ１に与えられるとともに、入力画像信号ＤＩＮに基づき出力画素値算出処理によって求められる赤色の出力画素値のデータが駆動用映像信号として第２の画素部ＰＩＸ２に与えられる。第３フィールドＦｉ３には、赤色光源，緑色光源，および青色光源が点灯状態（オン）となる。この第３フィールドＦｉ３には、入力画像信号ＤＩＮに基づき出力画素値算出処理によって求められるシアン色の出力画素値のデータが駆動用映像信号として第１の画素部ＰＩＸ１に与えられるとともに、入力画像信号ＤＩＮに基づき出力画素値算出処理によって求められるマゼンダ色の出力画素値のデータが駆動用映像信号として第２の画素部ＰＩＸ２に与えられる。
【０１８１】
以上より、本変形例においては、図４５に示すように、第１フィールドＦｉ１には、第１の画素部ＰＩＸ１および第２の画素部ＰＩＸ２の双方で青色が表示され、第２フィールドＦｉ２には、第１の画素部ＰＩＸ１で緑色が表示されるとともに第２の画素部ＰＩＸ２で赤色が表示され、第３フィールドＦｉ３には、第１の画素部ＰＩＸ１でシアン色が表示されるとともに第２の画素部ＰＩＸ２でマゼンダ色が表示される。
【０１８２】
以上のように、緑色の光と青色の光とを透過するシアン色カラーフィルタが設けられた第１の画素部ＰＩＸ１および赤色の光と青色の光とを透過するマゼンダ色カラーフィルタが設けられた第２の画素部ＰＩＸ２によって表示部４０内の複数の画素部４が構成されている場合にも、全ての色の光源（赤色光源，緑色光源，および青色光源）を点灯状態にして混色表示を行うフィールドを各フレームに設けることによって色割れの発生を抑制することができる。
【０１８３】
＜２．６．２  光源について＞
上記第２の実施形態においては、バックライト５００は上記第１の実施形態と同様に赤色光源としての赤色ＬＥＤ，緑色光源としての緑色ＬＥＤ，および青色光源としての青色ＬＥＤによって構成されていたが、本発明はこれに限定されない。赤色光源としての赤色ＬＥＤ，緑色光源としての緑色ＬＥＤ，青色光源としての青色ＬＥＤ，および白色光源としての白色ＬＥＤによってバックライト５００が構成されていても良い。この構成が採用されている場合には、図４６に示すように、各フレームの第３フィールドＦｉ３に白色光源（白色ＬＥＤ）を点灯状態にする。このようにして、発光効率の良い白色ＬＥＤを用いる構成を採用することによって、上記第２の実施形態に比べて消費電力を低減することが可能となる。
【０１８４】
また、上記第１の実施形態の変形例のように、ＬＥＤと蛍光体との組み合わせあるいはＬＥＤと量子ドットとの組み合わせからなる光源（発光体）を用いることもできる。これにより、発光効率を高めて消費電力を低減することが可能となる。
【０１８５】
ところで、ＬＥＤと波長変換物質（蛍光体，量子ドットなど）との組み合わせからなる光源に加えて白色光源（白色ＬＥＤ）をも用いた構成を採用することによって、より顕著に消費電力を低減することが可能となる。以下、これを実現する一構成例を第３の変形例として説明する。
【０１８６】
＜２．６．２．１  第３の変形例＞
図４７は、本変形例におけるバックライト５００に含まれる光源の構成例を示す図である。図４７に示すように、バックライト５００には光源として緑色光源５１（Ｇ）と白色光源５１（Ｗ）とマゼンダ色光源５１（Ｍ）とが含まれる。緑色光源５１（Ｇ）は、緑色ＬＥＤ５２（Ｇ）によって構成されている。白色光源５１（Ｗ）は、青色ＬＥＤ５２（Ｂ）と当該青色ＬＥＤ５２（Ｂ）から発せられる光によって励起されて発光する黄色蛍光体とによって構成されている。なお、黄色蛍光体に代えて赤色蛍光体および緑色蛍光体を用いることもできる。マゼンダ色光源５１（Ｍ）は、青色ＬＥＤ５２（Ｂ）と当該青色ＬＥＤ５２（Ｂ）から発せられる光の一部を赤色のスペクトルに変換する量子ドット５３（Ｒ）とによって構成されている。
【０１８７】
図４８は、本変形例におけるバックライト５００の構造を示す模式図である。バックライト５００は、表示パネル４００の背面側に配置されている。バックライト５００は、緑色光源５１（Ｇ）と、白色光源５１（Ｗ）と、マゼンダ色光源５１（Ｍ）と、光源から発せられた光を表示パネル４００に向けて面状に出射させるための導光板５１０と、導光板５１０から表示パネル４００に向けて発せられた光を拡散させて均一にするための拡散板５２０とによって構成されている。なお、表示パネル４００に向けて照射される光の効率を高めるための光学シートが設けられることもある。
【０１８８】
導光板５１０は、その前面が表示パネル４００側に位置するように配置されている。表示パネル４００と導光板５１０との間に拡散板５２０が配置されている。緑色光源５１（Ｇ）と白色光源５１（Ｗ）とは導光板５１０の一方の側面側に配置され、マゼンダ色光源５１（Ｍ）は導光板５１０の他方の側面側に配置されている。マゼンダ色光源５１（Ｍ）に着目すると、導光板５１０と青色ＬＥＤ５２（Ｂ）との間に量子ドット５３（Ｒ）が配置されている。以上のように、緑色光源５１（Ｇ）から発せられる光および白色光源５１（Ｗ）から発せられる光が量子ドット５３（Ｒ）を通過することがないような構造が採用されている。
【０１８９】
以上のような構成において、例えば、第１フィールドＦｉ１には緑色光源５１（Ｇ）のみが点灯状態となり、第２フィールドＦｉ２にはマゼンダ色光源５１（Ｍ）のみが点灯状態となり、第３フィールドＦｉ３には白色光源５１（Ｗ）のみが点灯状態となる。これにより、第１フィールドＦｉ１には、図４９に示すように緑色光のみが表示部４０に照射され、第２フィールドＦｉ２には、図５０に示すように青色光および赤色光が表示部４０に照射され、第３フィールドＦｉ３には、図５１に示すように白色光のみが表示部４０に照射される。その結果、第１の画素部ＰＩＸ１では、第１フィールドＦｉ１には緑色の表示が行われ、第２フィールドＦｉ２には赤色の表示が行われ、第３フィールドＦｉ３には黄色の表示が行われる。また、第２の画素部ＰＩＸ２では、第１フィールドＦｉ１には緑色の表示が行われ、第２フィールドＦｉ２には青色の表示が行われ、第３フィールドＦｉ３にはシアン色の表示が行われる。以上より、上記第２の実施形態と同様に色割れの発生が抑制される。また、白色光源５１（Ｗ）や、ＬＥＤと量子ドットとの組み合わせからなるマゼンダ色光源５１（Ｍ）が採用されているので、発光効率が顕著に高められ、消費電力が顕著に低減される。
【０１９０】
なお、バックライト５００の構造については、緑色光源５１（Ｇ）から発せられる光および白色光源５１（Ｗ）から発せられる光が量子ドット５３（Ｒ）を通過することがないのであれば、図４８に示した構造以外の構造を採用することもできる。
【０１９１】
＜３．第３の実施形態＞
＜３．１  概要＞
上記第１の実施形態および上記第２の実施形態においては、第１の画素部ＰＩＸ１および第２の画素部ＰＩＸ２は、図３に示すように、ゲートバスラインＧＬの伸びる方向に交互に配置され、かつ、ソースバスラインＳＬの伸びる方向に交互に配置されていた。しかしながら、本発明はこれに限定されず、例えば図５２や図５３に示すように、奇数行目の画素部および偶数行目の画素部の一方が他方に対してゲートバスラインＧＬの伸びる方向に半画素分ずれた構成を採用することもできる。そこで、奇数行目の画素部を基準として偶数行目の画素部が平面視で右側に半画素分ずれている構成（図５２に示す構成）が採用されている例を第３の実施形態として説明する。なお、全体構成や１フレームの構成については、上記第１の実施形態と同様であるので、説明を省略する。また、奇数行目の画素部および偶数行目の画素部の一方が他方に対して半画素分ずれている状態のことを便宜上「ずれ状態」という。
【０１９２】
＜３．２  画素の構成＞
図５２は、本実施形態における画素部４について説明するための模式図である。上述したように、本実施形態においては、奇数行目の画素部を基準として偶数行目の画素部が平面視で右側に半画素分ずれている。表示部４０に設けられている複数の画素部４は、黄色カラーフィルタが設けられた第１の画素部ＰＩＸ１と、シアン色カラーフィルタが設けられた第２の画素部ＰＩＸ２とによって構成されている。
【０１９３】
＜３．３  出力画素値の求め方＞
次に、本実施形態における出力画素値の求め方について説明する。なお、ここでは、元の画素情報（すなわち、入力画像信号ＤＩＮに基づく情報）を表す際には図５４に示すように１６個の画素部を１〜１６で互いに識別し、ずれ状態における画素情報を表す際には図５５に示すように１６個の画素部を１ａ〜１６ａで互いに識別する。
【０１９４】
本実施形態においては、着目画素部（出力画素値の算出対象の画素部）が奇数行目に含まれているときと着目画素部が偶数行目に含まれているときとで異なるローパスフィルタ１１２が用いられる。また、上記第１の実施形態においては、赤色および青色についての出力画素値の算出の際にのみローパスフィルタ１１２が用いられていたが、本実施形態においては、緑色についての出力画素値の算出の際にもローパスフィルタ１１２が用いられる。
【０１９５】
着目画素部が奇数行目に含まれていて、かつ、緑色についての出力画素値の算出が行われる際には、図５６に示すローパスフィルタ１１２が用いられる。着目画素部が偶数行目に含まれていて、かつ、緑色についての出力画素値の算出が行われる際には、図５７に示すローパスフィルタ１１２が用いられる。着目画素部が奇数行目に含まれていて、かつ、赤色または青色についての出力画素値の算出が行われる際には、図９に示すローパスフィルタ１１２が用いられる。着目画素部が偶数行目に含まれていて、かつ、赤色または青色についての出力画素値の算出が行われる際には、図５８に示すローパスフィルタ１１２が用いられる。
【０１９６】
なお、本実施形態においては、図５６に示すローパスフィルタ１１２によって第１の通常行用ローパスフィルタが実現され、図５７に示すローパスフィルタ１１２によって第１のシフト行用ローパスフィルタが実現され、図９に示すローパスフィルタ１１２によって第２の通常行用ローパスフィルタが実現され、図５８に示すローパスフィルタ１１２によって第２のシフト行用ローパスフィルタが実現されている。
【０１９７】
着目画素部が奇数行目に含まれている場合、緑色についての出力画素値は具体的には次のようにして算出される。なお、ここでは、図５５で１０ａで示す画素部が着目画素部であると仮定する。このとき、９画素分の元の画素情報とローパスフィルタ１１２内の９個の係数とが図５９に示すようにそれぞれ対応付けられる。従って、緑色についての着目画素部における出力画素値Ｇｏｕｔは次式（２７）で算出される。
Ｇｏｕｔ＝Ｇｉｎ10  ・・・（２７）
【０１９８】
着目画素部が偶数行目に含まれている場合、緑色についての出力画素値は具体的には次のようにして算出される。なお、ここでは、図５５で６ａで示す画素部が着目画素部であると仮定する。このとき、１２画素分の元の画素情報とローパスフィルタ１１２内の１２個の係数とが図６０に示すようにそれぞれ対応付けられる。従って、緑色についての着目画素部における出力画素値Ｇｏｕｔは次式（２８）で算出される。
【数９】
2016136235.tif 000011
【０１９９】
着目画素部が奇数行目に含まれている場合、赤色についての出力画素値は具体的には次のようにして算出される。なお、ここでは、図５５で１０ａで示す画素部が着目画素部であると仮定する。このとき、９画素分の元の画素情報とローパスフィルタ１１２内の９個の係数とが図６１に示すようにそれぞれ対応付けられる。従って、赤色についての着目画素部における出力画素値Ｒｏｕｔは次式（２９）で算出される。
【数１０】
2016136235.tif 000012
なお、青色についての着目画素部における出力画素値Ｂｏｕｔについても同様に算出される。
【０２００】
着目画素部が偶数行目に含まれている場合、赤色についての出力画素値は具体的には次のようにして算出される。なお、ここでは、図５５で６ａで示す画素部が着目画素部であると仮定する。このとき、１２画素分の元の画素情報とローパスフィルタ１１２内の１２個の係数とが図６２に示すようにそれぞれ対応付けられる。従って、赤色についての着目画素部における出力画素値Ｒｏｕｔは次式（３０）で算出される。
【数１１】
2016136235.tif 000013
なお、青色についての着目画素部における出力画素値Ｂｏｕｔについても同様に算出される。
【０２０１】
＜３．４  効果＞
本実施形態によれば、奇数行目の画素部および偶数行目の画素部の一方が他方に対して半画素分ずれている構成が採用されている場合において、ずれ状態を考慮しつつ、ローパスフィルタ１１２を用いて各色についての出力画素値の算出が行われる。これにより、奇数行目の画素部および偶数行目の画素部の一方が他方に対して半画素分ずれている構成が採用されている場合に、エイリアシングの発生を抑制しつつ、上記第１の実施形態と同様の効果が得られる。
【０２０２】
＜４．第４の実施形態＞
＜４．１  概要＞
近年、微小なシャッタ素子（以下、単に「シャッタ」という。）をマトリクス状に配列した表示装置が開発されている。このシャッタは、光を透過する状態および光を遮断する状態の２つの状態しか取ることができないため、液晶素子とは異なり、透過率を印加電圧により制御することができない構造になっている。そこで、１フレーム期間が複数のサブフレーム期間に分割され、各サブフレーム期間に含まれる点灯期間の長さに関して２進法に従って重み付けが行われる例がある。このように設定された点灯期間を適宜選択して光の透過／遮断をシャッタで制御することによって、各画素部で階調表現が行われる。このようにして階調表現を行う方式は「時分割階調方式」と呼ばれている。上記第１〜第３の実施形態においては、液晶表示装置を例に挙げて説明したが、このような時分割階調方式を採用する表示装置についても本発明を適用することができる。そこで、本発明を時分割階調方式の表示装置に適用した例を第４の実施形態として説明する。
【０２０３】
＜４．２  構成＞
表示装置の全体構成については、上記第１の実施形態と同様である（図１参照）。但し、本実施形態においては、映像処理部１１０では、上記第１の実施形態と同様にして各色についての出力画素値の算出が行われた後、時分割で階調表現を行うためのフォーマット変換が行われる。
【０２０４】
図６３は、本実施形態における表示パネル４００の構成を示す概略図である。上記第１の実施形態と同様、表示部４０には複数本のソースバスライン（映像信号線）ＳＬと複数本のゲートバスライン（走査信号線）ＧＬとが配設され、複数本のソースバスラインＳＬと複数本のゲートバスラインＧＬとの各交差点に対応して画素部４が設けられている。各画素部４には、スイッチング素子として機能するＴＦＴ（薄膜トランジスタ）４０１と、基準電位を与える共通電極４０２と、ＴＦＴ４０１のドレイン端子に一端が接続され共通電極４０２に他端が接続された信号保持容量４０３と、信号保持容量４０３と並列に接続された光学変調素子４０４とが含まれている。なお、光学変調素子４０４は、例えば光リソグラフィ技術などに基づいて作成され、電磁気的に可動する部分を含む微細構造を有する光学シャッタを備えている。光学変調素子４０４は、バックライト５００から発せられる光を、所定の期間に透過させ、その他の期間に遮断する。このような光学変調素子４０４の構成および動作は周知であるため、光学変調素子４０４についての詳しい説明は省略する。
【０２０５】
表示部４０に設けられている複数の画素部４は、上記第１の実施形態と同様、図３に示すように構成されている。すなわち、表示部４０に設けられている複数の画素部４は、黄色カラーフィルタが設けられた第１の画素部ＰＩＸ１と、シアン色カラーフィルタが設けられた第２の画素部ＰＩＸ２とによって構成されている。但し、上記第１の実施形態の変形例と同様、図３に示す構成以外の構成を採用することもできる。
【０２０６】
＜４．３  フレームの構成＞
図６４は、本実施形態におけるフレームの構成について説明するための図である。本実施形態においては、１画面の表示期間である１フレーム期間には、第１〜第１０サブフレームＳＦ１〜ＳＦ１０が含まれている。各サブフレームＳＦは、第１フィールドＦｉ１と第２フィールドＦｉ２とによって構成されている。第１フィールドＦｉ１の長さと第２フィールドＦｉ２の長さは等しくなっている。第１フィールドＦｉ１には、緑色光源のみが点灯状態（オン）となり、赤色光源および青色光源は消灯状態（オフ）となる。第２フィールドＦｉ２には、赤色光源および青色光源が点灯状態（オン）となり、緑色光源は消灯状態（オフ）となる。なお、図６４では、ｊ（ｊは１から１０までの整数）番目のサブフレームをＳＦｊと表し、ＳＦｊに含まれる第１フィールドをＦｉ１（ｊ）と表し、ＳＦｊに含まれる第２フィールドをＦｉ２（ｊ）と表している。
【０２０７】
図６５は、各サブフレームＳＦの長さについて説明するための図である。図６５に示すように、第１サブフレームＳＦ１の長さを１Ｔと表すと、第２サブフレームＳＦ２の長さは２Ｔとなっており、第３サブフレームＳＦ３の長さは４Ｔとなっており、第４〜第１０サブフレームＳＦ４〜ＳＦ１０の長さは８Ｔとなっている。
【０２０８】
なお、本実施形態においては、各サブフレームＳＦ内の第１フィールドＦｉ１によって第１タイプフィールドが実現され、各サブフレームＳＦ内の第２フィールドＦｉ２によって第２タイプフィールドが実現されている。
【０２０９】
＜４．４  階調表現＞
ここで、上述のようなフレームを用いてどのようにして階調表現が行われるのかについて説明する。本実施形態においては、各画素部における各色のデータとして６ビットのデータが用いられる。すなわち、６４階調の階調表現が行われる。緑色については、各サブフレームＳＦの第１フィールドＦｉ１における光の透過／遮断を制御することによって階調表現が行われる。赤色および青色については、各サブフレームＳＦ内の第２フィールドＦｉ２における光の透過／遮断を制御することによって階調表現が行われる。
【０２１０】
図６６および図６７は、各階調値を表現するために各サブフレームＳＦにおいて光の透過／遮断をどのように制御するかを表した図である。図６６および図６７では、各階調値を表現するための各サブフレームＳＦにおける画素部の状態に関し、光が透過される状態を「１」で表し、光が遮断される状態を「０」で表している。例えば、或る画素部において緑色について階調値「１４」の表現が行われる際には、当該画素部では、第２〜第４サブフレームＳＦ２〜ＳＦ４の第１フィールドＦｉ１には光が透過される状態とされ、第１サブフレームＳＦ１および第５〜第１０サブフレームＳＦ５〜ＳＦ１０の第１フィールドＦｉ１には光が遮断される状態とされる（図６６で符号７１の矢印で示す列を参照）。また、例えば、或る画素部において赤色について階調値「５７」の表現が行われる際には、当該画素部では、第１サブフレームＳＦ１および第４〜第１０サブフレームＳＦ４〜ＳＦ１０の第２フィールドＦｉ２には光が透過される状態とされ、第２サブフレームＳＦ２および第３サブフレームＳＦ３の第２フィールドＦｉ２には光が遮断される状態とされる（図６７で符号７２の矢印で示す列を参照）。
【０２１１】
以上のような前提の下、映像処理部１１０では、まず、上記第１の実施形態と同様にして各色についての出力画素値の算出が行われる。この出力画素値のデータは、６ビットのデータである。映像処理部１１０では、次に、その６ビットのデータを図６６や図６７に示すように１０サブフレーム分の２ビットのデータに変換（フォーマット変換）する処理が行われる。このフォーマット変換後の２ビットのデータに基づいて各サブフレームの各フィールドで光の透過／遮断の制御が行われることにより、所望の階調表現が行われる。
【０２１２】
＜４．５  効果＞
本実施形態によれば、上記第１の実施形態と同様の効果が得られるのに加えて、以下の効果が得られる。時分割階調方式を採用する従来の表示装置においては、各サブフレームは３つのフィールド（赤色を表示するためのフィールド，緑色を表示するためのフィールド，青色を表示するためのフィールド）に分割されていたのに対し、本実施形態に係る表示装置においては、各サブフレームは２つだけのフィールドに分割されている。このため、シャッタの駆動回数が従来と比較して３分の２となる。これにより、シャッタの寿命が従来と比較して約１．５倍となる。また、シャッタの駆動回数が従来よりも少なくなることから、シャッタの駆動に要する消費電力が低減される。
【０２１３】
また、上記第１の実施形態の変形例のように、ＬＥＤと蛍光体との組み合わせあるいはＬＥＤと量子ドットとの組み合わせからなる光源（発光体）を用いることもできる。これにより、発光効率を高めて消費電力を低減することが可能となる。
【０２１４】
＜５．その他＞
本発明は上記各実施形態に限定されるものではなく、本発明の範囲を逸脱しない限りにおいて種々の変形を施すことができる。例えば、ローパスフィルタ１１２に関し、上記各実施形態で示したサイズ以外のサイズを採用することもできるし、上記各実施形態で示した係数値以外の係数値が保持されていても良い。また、上記各実施形態の内容を適宜組み合わせても良い。
【０２１５】
なお、上記の各実施形態においては、映像処理部１１０がローパスフィルタ１１２を含む構成に関して説明したが、ローパスフィルタ１１２が設けられていない構成も考えられる。仮にローパスフィルタ１１２が設けられていなければ、エイリアシングは発生するものの、画像の表示は可能である。また、例えば、本発明に係る表示装置の外部で予めローパスフィルタ１１２を用いた処理を入力画像信号ＤＩＮに施し、その処理後の入力画像信号ＤＩＮを映像入力部１００に入力するようにしても良い。
【符号の説明】
【０２１６】
４…画素部
３１…ゲートドライバ
３２…ソースドライバ
４０…表示部
５１（Ｇ），５１（Ｍ），５１（Ｗ）…緑色光源，マゼンダ色光源，白色光源
５２（Ｇ），５２（Ｂ）…緑色ＬＥＤ，青色ＬＥＤ
５３（Ｒ）…量子ドット
５４…遮光壁
１００…映像入力部
１１０…映像処理部
１１２…ローパスフィルタ
１２０…タイミング制御部
２００…ＬＥＤ制御部
２１０…ＬＥＤドライバ
３００…パネルドライバ
４００…表示パネル
５００…バックライト
ＰＩＸ１…第１の画素部
ＰＩＸ２…第２の画素部
【図１】
2016136235.tif 000018
【図２】
2016136235.tif 000019
【図３】
2016136235.tif 000020
【図４】
2016136235.tif 000021
【図５】
2016136235.tif 000022
【図６】
2016136235.tif 000023
【図７】
2016136235.tif 000024
【図８】
2016136235.tif 000025
【図９】
2016136235.tif 000026
【図１０】
2016136235.tif 000027
【図１１】
2016136235.tif 000028
【図１２】
2016136235.tif 000029
【図１３】
2016136235.tif 000030
【図１４】
2016136235.tif 000031
【図１５】
2016136235.tif 000032
【図１６】
2016136235.tif 000033
【図１７】
2016136235.tif 000034
【図１８】
2016136235.tif 000035
【図１９】
2016136235.tif 000036
【図２０】
2016136235.tif 000037
【図２１】
2016136235.tif 000038
【図２２】
2016136235.tif 000039
【図２３】
2016136235.tif 000040
【図２４】
2016136235.tif 000041
【図２５】
2016136235.tif 000042
【図２６】
2016136235.tif 000043
【図２７】
2016136235.tif 000044
【図２８】
2016136235.tif 000045
【図２９】
2016136235.tif 000046
【図３０】
2016136235.tif 000047
【図３１】
2016136235.tif 000048
【図３２】
2016136235.tif 000049
【図３３】
2016136235.tif 000050
【図３４】
2016136235.tif 000051
【図３５】
2016136235.tif 000052
【図３６】
2016136235.tif 000053
【図３７】
2016136235.tif 000054
【図３８】
2016136235.tif 000055
【図３９】
2016136235.tif 000056
【図４０】
2016136235.tif 000057
【図４１】
2016136235.tif 000058
【図４２】
2016136235.tif 000059
【図４３】
2016136235.tif 000060
【図４４】
2016136235.tif 000061
【図４５】
2016136235.tif 000062
【図４６】
2016136235.tif 000063
【図４７】
2016136235.tif 000064
【図４８】
2016136235.tif 000065
【図４９】
2016136235.tif 000066
【図５０】
2016136235.tif 000067
【図５１】
2016136235.tif 000068
【図５２】
2016136235.tif 000069
【図５３】
2016136235.tif 000070
【図５４】
2016136235.tif 000071
【図５５】
2016136235.tif 000072
【図５６】
2016136235.tif 000073
【図５７】
2016136235.tif 000074
【図５８】
2016136235.tif 000075
【図５９】
2016136235.tif 000076
【図６０】
2016136235.tif 000077
【図６１】
2016136235.tif 000078
【図６２】
2016136235.tif 000079
【図６３】
2016136235.tif 000080
【図６４】
2016136235.tif 000081
【図６５】
2016136235.tif 000082
【図６６】
2016136235.tif 000083
【図６７】
2016136235.tif 000084